(57)【要約】【課題】光学的効率が大きく、構成要素間の位置合わせの公差感度が小さく、製造コストが小さい自動車両用投光装置用マイクロプロジェクション光モジュールの提供。【解決手段】自動車両用投光装置用マイクロプロジェクション光モジュールであって、光源（２）及び該光源（２）から出射する光を自動車両の前方の領域に光分布の形で結像するプロジェクション装置（３）を含み、プロジェクション装置（３）はマイクロ入射光学系（３１）を有する入射光学系（３０）及びマイクロ出射光学系（４１）を有する出射光学系（４０）を含み、各マイクロ入射光学系（３１）には丁度１つのマイクロ出射光学系（４１）が割り当てられ、マイクロ入射光学系（３１）から出射する光の実質的に全体がそれに割り当てられたマイクロ出射光学系（４１）のみに正確に入射するようマイクロ入射光学系（３１）は構成され、マイクロ入射光学系（３１）によって予め成形された光はマイクロ出射光学系（４１）によって自動車両の前方の領域に光分布として結像され、光源（２）には前置光学系装置（４）が割り当てられ、光源（２）はそれ自身から放出された光を前置光学系装置（４）内に放射し、前置光学系装置（４）はそれ自身から出射する光が実質的に平行に配向されるよう構成され、入射光学系（３０）は平面的境界面（３１’）を有し、平面的境界面（３１’）は前置光学系装置（４）に指向されている。【選択図】図２
2018531495.tif 000002
【特許請求の範囲】
【請求項１】
自動車両用投光装置用のマイクロプロジェクション光モジュールであって、
該マイクロプロジェクション光モジュールは、
・少なくとも１つの光源（２）、及び、
・該少なくとも１つの光源（２）から出射する光を自動車両の前方の領域に少なくとも１つの光分布の形で結像する少なくとも１つのプロジェクション装置（３）
を含み、
該プロジェクション装置（３）は、
・好ましくは１つのアレイに配置されている１つの、２つの又は３つ以上のマイクロ入射光学系（３１）を有する入射光学系（３０）、及び、
・好ましくは１つのアレイに配置されている１つの、２つの又は３つ以上のマイクロ出射光学系（４１）を有する出射光学系（４０）
を含み、
各マイクロ入射光学系（３１）には丁度１つのマイクロ出射光学系（４１）が割り当てられており、
１つのマイクロ入射光学系（３１）から出射する光の実質的に全体がそれに割り当てられたマイクロ出射光学系（４１）のみに正確に入射するよう、マイクロ入射光学系（３１）は構成されており及び／又はマイクロ入射光学系（３１）とマイクロ出射光学系（４１）は互いに対し配置されており、
マイクロ入射光学系（３１）によって予め成形された光は、マイクロ出射光学系（４１）によって、自動車両の前方の領域に、少なくとも１つの光分布（ＬＶ１−ＬＶ５；ＧＬＶ）として結像され、
前記少なくとも１つの光源（２）には前置光学系装置（４）が割り当てられており、
該少なくとも１つの光源（２）は、それ自身から放出される光を該少なくとも１つの前置光学系装置（４）内に放射し、
該前置光学系装置（４）は、それ自身から出射する光が実質的に平行に配向されるよう、構成されており、
入射光学系（３０）は少なくとも１つの平面的境界面（３１’）を有し、
該少なくとも１つの平面的境界面（３１’）は該前置光学系装置（４）に指向されている、
マイクロプロジェクション光モジュール。
【請求項２】
請求項１に記載のマイクロプロジェクション光モジュールにおいて、
前置光学系装置（４）から出射する光は少なくとも１つの平面的境界面（３１’）に当射する、
マイクロプロジェクション光モジュール。
【請求項３】
請求項１又は２に記載のマイクロプロジェクション光モジュールにおいて、
前置光学系装置（４）から出射する光は、平面的境界面（３１’）の実質的に全体を照射する、
マイクロプロジェクション光モジュール。
【請求項４】
請求項１〜３の何れかに記載のマイクロプロジェクション光モジュールにおいて、
前置光学系装置（４）はコリメータとして構成されている、
マイクロプロジェクション光モジュール。
【請求項５】
請求項１〜４の何れかに記載のマイクロプロジェクション光モジュールにおいて、
前置光学系装置（４）は入射光学系（３０）と一体的に構成されている、
マイクロプロジェクション光モジュール。
【請求項６】
請求項１〜５の何れかに記載のマイクロプロジェクション光モジュールにおいて、
１つのマイクロ入射光学系（３１）と当該１つのマイクロ入射光学系（３１）に割り当てられた１つのマイクロ出射光学系（４１）は１つのマイクロ光学系システムを構成し、
該マイクロ光学系システムは、少なくとも１つのマイクロ光学系焦点（Ｆ１）を有し及び／又は当該マイクロ光学系システムを貫通通過する光を水平方向に拡開する、
マイクロプロジェクション光モジュール。
【請求項７】
請求項１〜６の何れかに記載のマイクロプロジェクション光モジュールにおいて、
各マイクロ入射光学系（３１）は、当該マイクロ入射光学系（３１）を貫通通過する光を前記少なくとも１つのマイクロ光学系焦点（Ｆ１）に合焦する、
マイクロプロジェクション光モジュール。
【請求項８】
請求項６又は７に記載のマイクロプロジェクション光モジュールにおいて、
各マイクロ入射光学系（３１）のマイクロ光学系焦点（Ｆ１）は、光出射方向において、当該マイクロ入射光学系（３１）に割り当てられたマイクロ出射光学系（４１）の前方に位置し、
複数のマイクロ入射光学系（３１）は、それら自身を貫通通過する光を、垂直方向において、夫々、マイクロ出射光学系（４１）の前方に位置するマイクロ光学系焦点（Ｆ１）に合焦し、
複数のマイクロ出射光学系（４１）は、各自に割り当てられたマイクロ入射光学系（３１）のマイクロ光学系焦点（Ｆ１）に一致する焦点を有する、
マイクロプロジェクション光モジュール。
【請求項９】
請求項１〜８の何れかに記載のマイクロプロジェクション光モジュールにおいて、
各マイクロ入射光学系（３１）は湾曲境界面（３０’）を有し、
該湾曲境界面（３０’）は曲率半径最小値（Ｒｍｉｎ）を有する、
マイクロプロジェクション光モジュール。
【請求項１０】
請求項１〜９の何れかに記載のマイクロプロジェクション光モジュールにおいて、
各マイクロ入射光学系（３１）は集束光学系として又はフリーフォーム光学系として構成されており、及び／又は、各マイクロ出射光学系（４１）は投影光学系として又は非球面レンズとして又はフリーフォームレンズとして構成されている、
マイクロプロジェクション光モジュール。
【請求項１１】
請求項１〜１０の何れかに記載のマイクロプロジェクション光モジュールにおいて、
互いに割り当て関係にあるマイクロ入射光学系（３１）とマイクロ出射光学系（４１）の前記前置光学系装置（４）に指向された境界面（３１’、４１’）は、互いに対し合同的に、好ましくは平面的に構成されており、好ましくは互いに対し合同的に配置されている、
マイクロプロジェクション光モジュール。
【請求項１２】
請求項１〜１１の何れかに記載のマイクロプロジェクション光モジュールにおいて、
互いに割り当て関係にあるマイクロ入射光学系（３１）とマイクロ出射光学系（４１）の光軸（３１０、４１０）は、互いに対し平行に延伸し、好ましくは一致している、
マイクロプロジェクション光モジュール。
【請求項１３】
請求項１〜１２の何れかに記載のマイクロプロジェクション光モジュールにおいて、
入射光学系（３０）と出射光学系（４０）の間には、少なくとも１つの第１絞り装置（５０）が配置されており、
該第１絞り装置（５０）は、好ましくは、複数のマイクロ光学系焦点（Ｆ１）によって画成される面に配置されており、
該第１絞り装置（５０）は、例えば少なくとも一対の、好ましくは複数対の、とりわけ全ての対の、互いに関連付けられたマイクロ入射光学系とマイクロ出射光学系（３１、４１）のために、夫々少なくとも１つの、例えば丁度１つの光学的に作用する絞りエッジ（５１’、５２’、５３’、５４’、５５’）を有する（１つの）絞り（５１、５２、５３、５４、５５）を有する、
マイクロプロジェクション光モジュール。
【請求項１４】
請求項１３に記載のマイクロプロジェクション光モジュールにおいて、
入射光学系（３０）と出射光学系（４０）の間には、少なくとも１つの第２絞り装置（６０、７０）が配置されており、
該第２絞り装置（６０、７０）は、好ましくは、前記第１絞り装置（５０）と出射光学系（４０）との間に又は入射光学系（３０）と前記第１絞り装置（５０）との間に配置されている、
マイクロプロジェクション光モジュール。
【請求項１５】
請求項１４に記載のマイクロプロジェクション光モジュールにおいて、
前記第２絞り装置（６０、７０）は、少なくとも一対の、好ましくは複数対の、とりわけ全ての対の、互いに関連付けられたマイクロ入射光学系とマイクロ出射光学系（３１、４１）のために、夫々少なくとも１つの、例えば丁度１つの光学的に作用する絞りエッジ（６１’〜６５’、７１’〜７５’）を有する（１つの）絞り（６１〜６５、７１〜７５）を有し、
好ましくは該第２絞り装置（６０、７０）の全ての絞りは同じ絞りエッジを有し、又は、とりわけ該第２絞り装置（６０、７０）の少なくとも２つの絞りは異なる形に形成された絞りエッジを有し、
好ましくは前記光学的に作用する絞りエッジ（６１’〜６５’、７１’〜７５’）の少なくとも１つは切妻状の推移（輪郭形状）を有し、及び／又は、例えば前記絞り（６１〜６５、７１〜７５）の、垂直方向（Ｖ）に関し、少なくとも１つの上側又は下側の光学的に作用する絞りエッジ（６１’〜６５’、７１’〜７５’）は、光軸（３１０、４１０）から絞りの外側に向かって斜めに立ち上がる推移（輪郭形状）を有する、
マイクロプロジェクション光モジュール。
【請求項１６】
請求項１４又は１５に記載のマイクロプロジェクション光モジュールにおいて、
前記第１絞り装置（５０）と前記第２絞り装置（６０）は同一に構成されており、及び／又は、前記第１絞り装置（５０）は前記第２絞り装置（６０）と一体的に構成されている、
マイクロプロジェクション光モジュール。
【請求項１７】
請求項１４〜１６の何れかに記載のマイクロプロジェクション光モジュールにおいて、
出射光学系（４０）は少なくとも１つの第２絞り装置（６０、７０）と一体的に構成されており、及び／又は、第２絞り装置（６０、７０）は入射光学系（３０）に指向された出射光学系（４０）の境界面（４０’）に配されている、
マイクロプロジェクション光モジュール。
【請求項１８】
請求項１〜１７の何れかに記載のマイクロプロジェクション光モジュールにおいて、
入射光学系（３０）と出射光学系（４０）から構成されるプロジェクション装置（３）は、２つの互いに分離された（別体の）部材で形成されており、及び、該出射光学系（４０）は該入射光学系（３０）に対しシフト可能に（支承）支持されており、
該出射光学系（４０）及び／又は第２絞り装置（６０、７０）は、マイクロプロジェクション光モジュール（１）の組立状態において、垂直方向及び／又は水平方向に及び／又は入射光学系（３０）に対し平行にシフト可能である、
マイクロプロジェクション光モジュール。
【請求項１９】
請求項１〜１８の何れかに記載のマイクロプロジェクション光モジュールにおいて、
前記光源（２）は少なくとも１つの半導体系光源を含み、該半導体系光源は好ましくは１つの、２つの又は３つ以上のＬＥＤ及び／又はレーザダイオードを有し、該ＬＥＤ及び／又はレーザダイオードは好ましくは互いに対し独立に制御可能である、
マイクロプロジェクション光モジュール。
【請求項２０】
請求項１〜１９の何れかに記載のマイクロプロジェクション光モジュールにおいて、
マイクロプロジェクション光モジュール（１）の光源が２つの又は３つ以上の場合、該光源は互いに対し独立に制御可能である、
マイクロプロジェクション光モジュール。
【請求項２１】
請求項１〜２０の何れかに記載のマイクロプロジェクション光モジュールにおいて、
１つのマイクロ入射光学系（３１）と１つのマイクロ出射光学系（４１）とから構成される各マイクロ光学系システムに、丁度１つの、好ましくは半導体系の、光源が割り当てられており、該光源は好ましくは丁度１つの発光ダイオード（ＬＥＤ）又は丁度１つのレーザダイオードを含む、
マイクロプロジェクション光モジュール。
【請求項２２】
請求項１〜２１の何れかに記載のマイクロプロジェクション光モジュールにおいて、
２つの又は３つ以上の光源グループが設けられており、
各光源グループは少なくとも１つの光源（２）を含み、
１つの光源グループの複数の光源（２）は同じ色（Ｒ、Ｇ、Ｂ）の光を放出し、
異なる光源グループの光源は異なる色（Ｒ、Ｇ、Ｂ）の光を放出し、
各光源グループは、少なくとも１つのプロジェクション装置の当該光源グループに特異的に割り当てられた領域（３Ｒ、３Ｇ、３Ｂ）を照明し、
当該複数の領域（３Ｒ、３Ｇ、３Ｂ）は同一に構成されているか、ないし、同じ光分布を生成するよう構成されており、
好ましくは３つの光源グループが設けられており、とりわけ、１つの光源グループは赤色光を、１つの（更なる）光源グループは緑色光を、１つの（他の更なる）光源グループは青色光を放出する、
マイクロプロジェクション光モジュール。
【請求項２３】
請求項１〜２２の何れかに記載のマイクロプロジェクション光モジュールを１つ、２つ又は３つ以上含む、自動車両用投光装置用の照明装置。
【請求項２４】
請求項２３に記載の照明装置において、
マイクロプロジェクション光モジュール（ＡＡ、ＡＡ１、ＡＡ２、ＳＳ１、ＢＦ１〜ＢＦ８、ＦＬ、ＡＢＬ、ＳＡ１、ＳＡ２）の２つの又は３つ以上のグループが設けられており、
各グループは、１つの、２つの又は３つ以上のマイクロプロジェクション光モジュール（１）を含み、
１つのグループの複数のマイクロプロジェクション光モジュール（ＡＡ、ＡＡ１、ＡＡ２、ＳＳ１、ＢＦ１〜ＢＦ８、ＦＬ、ＡＢＬ、ＳＡ１、ＳＡ２）は、同じ光分布（ＬＶＡＡ、ＬＶＡＡ１、ＬＶＡＡ２、ＬＶＳＳ１、ＬＶＢＦ１〜ＬＶＢＦ８、ＬＶＬＦ、ＬＶＡＢＬ、ＬＶＳＡ１、ＬＶＳＡ２）を生成し、
異なるグループのマイクロプロジェクション光モジュール（ＡＡ、ＡＡ１、ＡＡ２、ＳＳ１、ＢＦ１〜ＢＦ８、ＦＬ、ＡＢＬ、ＳＡ１、ＳＡ２）は、異なる光分布（ＬＶＡＡ、ＬＶＡＡ１、ＬＶＡＡ２、ＬＶＳＳ１、ＬＶＢＦ１〜ＬＶＢＦ８、ＬＶＬＦ、ＬＶＡＢＬ、ＬＶＳＡ１、ＬＶＳＡ２）を生成し、
マイクロプロジェクション光モジュールの各グループの光源は、他のグループの光源とは独立に制御可能である、
照明装置。
【請求項２５】
請求項２４に記載の照明装置において、
１つのグループのマイクロプロジェクション光モジュール（ＡＡ、ＡＡ１、ＡＡ２、ＳＳ１、ＢＦ１〜ＢＦ８、ＦＬ、ＡＢＬ、ＳＡ１、ＳＡ２）の、好ましくは全てのマイクロプロジェクション光モジュールの、プロジェクション装置（３）は、１つの共通の部材を形成している、
照明装置。
【請求項２６】
請求項２４又は２５に記載の照明装置において、
異なる光分布（ＬＶＡＡ、ＬＶＡＡ１、ＬＶＡＡ２、ＬＶＳＳ１、ＬＶＢＦ１〜ＬＶＢＦ８、ＬＶＬＦ、ＬＶＡＢＬ、ＬＶＳＡ１、ＬＶＳＡ２）を生成するための２つの又は３つ以上のグループが設けられており、
各グループは夫々異なる光分布（ＬＶＡＡ、ＬＶＡＡ１、ＬＶＡＡ２、ＬＶＳＳ１、ＬＶＢＦ１〜ＬＶＢＦ８、ＬＶＬＦ、ＬＶＡＢＬ、ＬＶＳＡ１、ＬＶＳＡ２）を生成し、該光分布は以下の複数の光分布（ＬＶＡＡ、ＬＶＡＡ１、ＬＶＡＡ２、ＬＶＳＳ１、ＬＶＢＦ１〜ＬＶＢＦ８、ＬＶＬＦ、ＬＶＡＢＬ、ＬＶＳＡ１、ＬＶＳＡ２）： 
・コーナリング用ライトの光分布；
・市街地用ライトの光分布；
・幹線道路用ライトの光分布；
・アウトバーン用ライトの光分布；
・アウトバーン用ライトのための補助ライトの光分布；
・カーブ用ライトの光分布；
・減光用ライトの光分布；
・減光用ライト−前部領域の光分布；
・遠方領域における非対称的減光用ライトのための光分布；
・カーブ用ライトモードの場合の遠方領域における非対称的減光用ライトのための光分布；
・遠方用ライトの光分布；
・絞りのない遠方用ライトの光分布
の１つとして選択されている、
照明装置。
【請求項２７】
請求項２３〜２６の何れかに記載の照明装置において、
照明装置は２つの又は３つ以上のマイクロプロジェクション光モジュールを含み、
各マイクロプロジェクション光モジュールは少なくとも１つの光源グループを有し、
各光源グループは少なくとも１つの光源を含み、
１つの光源グループの複数の光源は同じ色（Ｒ、Ｇ、Ｂ）の光を放出し、
異なる色の光を放出する少なくとも２つの光源グループが設けられており、
各光源グループは、そのマイクロプロジェクション光モジュールの少なくとも１つのプロジェクション装置の当該光源グループに特異的に割り当てられた領域（３Ｒ、３Ｇ、３Ｂ）を照明し、
当該複数の領域（３Ｒ、３Ｇ、３Ｂ）は同一に構成されている、ないし、同じ光分布を生成するよう構成されており、
好ましくは３つのグループの光源グループが設けられており、とりわけ、複数の光源グループの１つの光源グループは赤色光を、複数の光源グループの１つの（更なる）光源グループは緑色光を、複数の光源グループの１つの（他の更なる）光源グループは青色光を放出し、
複数の光源グループの各グループは少なくとも１つの光源グループを含む、
照明装置。
【請求項２８】
請求項２３〜２７の何れかに記載の照明装置を１つ又は２つ以上有する、自動車両用投光装置。
【発明の詳細な説明】
【技術分野】
【０００１】
本発明は、自動車両用投光装置用のマイクロプロジェクション光モジュールであって、少なくとも１つの光源、及び、該少なくとも１つの光源から出射する光を自動車両の前方の領域に少なくとも１つの光分布の形で結像する少なくとも１つのプロジェクション装置を含み、該プロジェクション装置は、有利には１つのアレイに配置されている１つの、２つの又は３つ以上のマイクロ入射光学系を有する入射光学系、及び、有利には１つのアレイに配置されている１つの、２つの又は３つ以上のマイクロ出射光学系を有する出射光学系を含み、各マイクロ入射光学系には丁度１つのマイクロ出射光学系が割り当てられており、１つのマイクロ入射光学系から出射する光の実質的に全体がそれに割り当てられたマイクロ出射光学系のみに正確に入射するよう、マイクロ入射光学系は構成されており及び／又はマイクロ入射光学系とマイクロ出射光学系は互いに対し配置されており、マイクロ入射光学系によって予め成形された光は、マイクロ出射光学系によって、自動車両の前方の領域に、少なくとも１つの光分布として結像される、該マイクロプロジェクション光モジュールに関する。
【０００２】
更に、本発明は、少なくとも１つのそのようなマイクロプロジェクション光モジュールを有する照明装置に関する。
【０００３】
更に、本発明は、少なくとも１つのそのような照明装置を有する自動車両用投光装置（ヘッドランプなど）に関する。
【背景技術】
【０００４】
上記の種類のマイクロプロジェクション光モジュールは従来技術から既知である。本出願人のＡＴ２０１３５０６９２には、１つの予め設定されるタイプの少なくとも１つの光分布（配光パターン）を生成するための自動車両用投光装置（前照灯）のためのマイクロプロジェクション光モジュールが記載されている。
【先行技術文献】
【特許文献】
【０００５】
【特許文献１】ＡＴ２０１３５０６９２
【発明の概要】
【発明が解決しようとする課題】
【０００６】
そのようなマイクロプロジェクション光モジュールにおいて問題なのは、光学的効率が小さいことと、公差に対する感度即ち公差感度が大きいことである。ＡＴ２０１３５０６９２に記載されたマイクロプロジェクション光モジュールは、５つまでの光学的に関連する構成要素を有し、各構成要素はそれらの境界面における光反射によって光損失に（光学的効率の低下に）寄与する。更に、このマイクロプロジェクション光モジュールは、大きな公差感度のために、個々の構成要素相互間の煩雑な位置合わせを要する。０．１ｍｍの範囲の位置合わせの公差により、光像に数°（だけ）のずれが生じ、その結果、不鮮明な光像が形成される。
【０００７】
本発明の課題は、光学的効率が大きく、個々の構成要素間の位置合わせに関する公差感度が小さく、更に、製造コストがより小さい自動車両用投光装置のためのマイクロプロジェクション光モジュールを提供することである。
【課題を解決するための手段】
【０００８】
この課題は、冒頭に掲げたマイクロプロジェクション光モジュールにおいて、本発明に応じ、前記少なくとも１つの光源には前置光学系装置が割り当てられており、該少なくとも１つの光源は、それ自身から放出された光を該少なくとも１つの前置光学系装置内に放射し、該前置光学系装置は、それ自身から出射する光が実質的に平行に配向されるよう、構成されており、入射光学系は少なくとも１つの平面的境界面を有し、該少なくとも１つの平面的境界面は該前置光学系装置に指向されている、ことによって解決される。
【発明を実施するための形態】
【０００９】
前置光学系装置の出射面（前置光学系出射面）と入射光学系の入射面との間の距離は調節可能であり、これによって、マイクロプロジェクション光モジュールの位置整合組立（Justierung）の際に利点が得られることに留意する必要がある。
【００１０】
更に、前置光学系装置の平面的に構成された境界面は、例えば、前置光学系装置によって実質的に平行に束ねられた光が平面的境界面に当射（入射）する際、所定の斜めの角度では実質的に反射が起こらず、そのため、光損失を小さく抑えることができるという利点を有する。
【００１１】
光学的配置に関し、前置光学系装置から出射する光は少なくとも１つの平面的境界面を当射すると、好都合であり得る。
【００１２】
入射光学系の入射境界面における光反射の減少に関し、前置光学系装置から出射する光は平面的境界面の実質的に全体を照射すると有利であり得る。
【００１３】
これは、例えば、前置光学系装置出射面と平面的境界面とが合同的に（合致的にないし適合的に：kongruent）構成されておりかつ合同的に配置されている場合に当てはまり得る。
【００１４】
ここで、「合同的に構成されている（kongruent ausgebildet）」とは、前置光学系装置出射面と平面的境界面とが、原理的に任意の空間的構造を有するが、まさに、同じ形状の底面（Grundflaeche）を有することを意味する。「合同的に」配置されるとは、これらの底面が、付加的に、完全に合致するよう直接的に重なり合っているか又は相互に離隔しているが両底面の一方に対し垂直にシフトすれば完全に合致するよう重なり合うことになるように、配置されていることを意味する。平行な光線束の形成に関しては、前置光学系装置はコリメータとして構成されていると、有利であり得る。
【００１５】
前置光学系装置は入射光学系と一体的に構成されていると、とりわけ有利であり得る。この場合、光屈折面の数は２つだけ減少する。平面的なコリメータ出射面と平面的境界面は、この実施形態では最早存在しない。光と境界面との間の何れの相互作用も反射（による）損失と結びついているため、この変形形態によって、効率の向上を達成することができる。更に、前置光学系装置と入射光学系との一体的形成によって、より少ない製造コストが達成される。プラスチック射出成形の離型性が、一体的に構成された光学的に関連する構成要素（複数）に与えられ、かくして、独立の入射光学系のための工具を不要とすることができ、それゆえ、費用効率を向上することができる。
【００１６】
更に、１つのマイクロ入射光学系と当該１つのマイクロ入射光学系に割り当てられた１つのマイクロ出射光学系は１つのマイクロ光学系システムを構成し、該マイクロ光学系システムは、少なくとも１つのマイクロ光学系焦点を有するよう、構成可能である。
【００１７】
光像の生成に関し、各マイクロ入射光学系は当該マイクロ入射光学系を貫通通過する光を少なくとも１つのマイクロ光学系焦点に合焦すると、好都合であり得る。
【００１８】
更に、各マイクロ入射光学系のマイクロ光学系焦点は光出射方向において当該マイクロ入射光学系に割り当てられたマイクロ出射光学系の前方に位置し、複数のマイクロ入射光学系はそれら自身を貫通通過する光を垂直方向において夫々マイクロ出射光学系の前方に位置するマイクロ光学系焦点に合焦し、複数のマイクロ出射光学系は各自に割り当てられたマイクロ入射光学系のマイクロ光学系焦点に一致する焦点を有すると、有利に構成可能である。
【００１９】
光は、かくして、マイクロ光学系システムの焦点に合焦され、次いで、マイクロ出射光学系の貫通通過により相応に垂直方向においてコリメートされ、自動車両の前方の領域に投射される。
【００２０】
光分布（複数）の生成に関し、各マイクロ光学系システムがそれ自身を貫通通過する光を水平方向において拡開すると、有利であり得る。
【００２１】
更に、各マイクロ光学系システムは貫通通過する光を垂直方向においてマイクロ光学系焦点に合焦する。該焦点は、有利には、マイクロ入射光学系の後方かつマイクロ出射光学系の前方に位置する。この光は、更に、マイクロ出射光学系を貫通通過し、そして、水平方向において、有利にはマイクロ出射光学系の後方に位置する焦点に合焦する。
【００２２】
ここで、「前方」及び「後方」という概念は、マイクロプロジェクション光モジュールから放射された光の主伝播方向に関するものである。
【００２３】
入射光学系からの光の出射の際の当該光の全反射（Totalreflexion）による損失に関し、各マイクロ入射光学系は湾曲境界面を有し、該湾曲境界面は曲率半径最小値を有すると、有利であり得る。従って、平面的境界面を貫通して入射光学系に侵入した光は、湾曲境界面において出射する。この場合、光は、当該光が侵入する媒体（例えば空気）よりもより大きな屈折率を有する媒体（例えばガラス、プラスチック等）から出射する。その際、既知のとおり、この境界面において全反射が、従って、付加的な光損失が生じ得る。従って、マイクロ入射光学系の境界面（この境界面において光はマイクロ入射光学系から出射する）の曲率半径の或る最小の値を維持し、それによって、全反射を小さく維持することが、得策である。
【００２４】
各マイクロ入射光学系は集束光学系（Sammeloptik）として又はフリーフォーム光学系（Freiform-Optik）として又はフレネルレンズとして構成されていると、好都合であり得る。
【００２５】
更に、各マイクロ出射光学系は投影光学系（Projektionsoptik）として又は球面レンズとして又は非球面レンズとして又はフリーフォームレンズとして又はフレネルレンズとして構成されていると、有利であり得る。
【００２６】
組立技術上の理由から、互いに割り当て関係にあるマイクロ入射光学系とマイクロ出射光学系の前置光学系装置に指向された境界面は、互いに対し合同的に、有利には平面的に構成されており、有利には更に互いに対し合同的に配置されていると、有利であり得る。
【００２７】
「合同的に（kongruent）構成されている」とは、この場合も、互いに割り当て関係にあるマイクロ（入射及び出射）光学系の境界面同士が、原理的に任意の空間的構造を有するが、まさに、同じ形状の底面を有することを意味する。「合同的に（kongruent）」配置されるとは、これらの底面が、付加的に、完全に合致するよう直接的に重なり合っているか又は相互に離隔しているが両底面の一方に対し垂直にシフトすれば完全に合致するよう重なり合うことになるように、配置されていることを意味する。
【００２８】
結像エラーの減少に関し、互いに割り当て関係にあるマイクロ入射光学系とマイクロ出射光学系の光軸は、互いに対し平行に延伸し、有利には一致していると、有利であり得る。
【００２９】
入射光学系と出射光学系の間には、少なくとも１つの第１絞り装置（ないし遮蔽装置：Blendenvorrichtung）が配置されていると、有利であり得る。
【００３０】
第１絞り装置は複数のマイクロ光学系焦点によって画成されている面に配置されており、該第１絞り装置は、少なくとも一対の、有利には複数対の、とりわけ全ての対の、互いに関連付けられたマイクロ入射光学系とマイクロ出射光学系のために、夫々少なくとも１つの、例えば丁度１つの光学的に作用する絞りエッジ（ないし遮蔽エッジ：Blendenkante）を有する（１つの）絞りを有すると、とりわけ有利である。
【００３１】
第１絞り装置の使用は、複数の異なるタイプの光分布の生成が望まれる場合、有利であり得る。この場合、光学的に作用する絞りエッジによって、光像（のエッジ）が切り揃えられ（絞られ：beschnitten）て、所望の光像に適合化される（図３、図３ａ、図３ｂも参照）。
【００３２】
更に、入射光学系と出射光学系の間に、少なくとも１つの第２絞り装置が配置されていると、好都合であり得る。
【００３３】
この場合、第２絞り装置は第１絞り装置と出射光学系との間に配置されていることが可能である。
【００３４】
更に、第２絞り装置は入射光学系と第１絞り装置との間に配置されていることが可能である。
【００３５】
更に、第２絞り装置は、少なくとも一対の、有利には複数対の、とりわけ全ての対の、互いに関連付けられたマイクロ入射光学系とマイクロ出射光学系のために、夫々少なくとも１つの、例えば丁度１つの光学的に作用する絞りエッジを有する（１つの）絞りを有すると、有利であり得る。
【００３６】
第２絞り装置の導入は結像エラーの低減ないし補正を可能にする。なお、結像エラーは、マイクロ光学系システム間のクロストークによって即ち或るマイクロ光学系システムに入射する光が他の、大抵はその隣にあるマイクロ光学系システムを介して出射する場合に、及び／又は、光の収差（Aberration）によって生成する（図４ａ、図５ａも参照）。
【００３７】
第２絞り装置の製造に関し、第２絞り装置の全ての絞りが同じ絞りエッジを有すると、有利であり得る。
【００３８】
結像エラーのより良好な補正に関し、第２絞り装置の少なくとも２つの絞りが異なる形に形成された絞りエッジを有すると、好都合であり得る。
【００３９】
この場合、光学的に作用する絞りエッジの少なくとも１つは（逆）切妻状の（giebelfoermig）推移（輪郭形状）を有すると、有利であり得る。
【００４０】
更に、絞りの、垂直方向に関し、少なくとも１つの上側又は下側の光学的に作用する絞りエッジは、光軸から絞りの外側に向かって斜めに立ち上がる（aufsteigend）推移（輪郭形状）を有すると、有利であり得る。
【００４１】
製造に関し、第１絞り装置と第２絞り装置は同一に構成されていると、好都合であり得る。
【００４２】
試験済みの実施形態では、出射光学系は少なくとも１つの第２絞り装置と一体的に構成されている。
【００４３】
この場合、第２絞り装置は入射光学系に指向された出射光学系の境界面に配されていると、好都合であり得る。
【００４４】
原理的に、プロジェクション装置は、上述のように、複数のマイクロ光学系システム、従って、夫々１つのマイクロ入射光学系と１つのマイクロ出射光学系とからなる対を複数有する。絞り装置を備えない最も単純な形態では、全てのマイクロ光学系システムが同じ光分布を生成し、これらの（部分）光分布は全部合わせて例えば遠方ライト（ハイビーム）用光分布を形成する。なお、この場合、単純化を目的として、丁度１つのマイクロプロジェクション光モジュールによって、１つの完全な光分布が生成されることを前提としている。しかしながら、実用上は、全体光分布の生成のために、２つの又は更には３つ以上の本発明に応じたマイクロプロジェクション光モジュールを使用することも可能である。これは、例えば、投光装置の複数の異なる位置に複数の部材を分散配置することが、例えば空間的理由から、必須ではない場合に、有意義であり得る。
【００４５】
既知の態様で明暗境界（線）（Hell-Dunkel-Grenzen）を有する減光された光分布、例えば減光ライト用光分布を生成するために、各マイクロ光学系システムに対し、概ね（mehr oder weniger）同じ絞りが光路において割り当てられており、その結果、全てのマイクロ光学系システムは（１つの）明暗境界を有する１つの光分布を生成するよう、構成可能である。この場合、全ての光分布を重ね合わせることにより、全体光分布として、減光された光分布が生成される。
【００４６】
絞り（複数）は、この場合、他の全ての場合においても同様であるが、第１絞り装置を「形成する」（例えば、非透過性層の、例えば蒸着被膜層等の形の）個別の絞り（複数）として構成可能であるが、光を貫通通過（透過）させるための相応の複数の開口が形成されている（１つの）絞り装置部材、例えば（１つの）薄平板等でもあり得る。この場合、上述したように、結像エラーが生じるが、この結像エラーは今や（本発明に応じ）第２絞り装置の導入によって減少されることができる。
【００４７】
更に、複数の異なる絞りを設けること、即ち、１つの又は２つ以上の或るマイクロ光学系システムに対し第１絞り装置の第１絞りと第２絞り装置の第２絞りとが割り当てられ、１つの又は２つ以上の他のマイクロ光学系システムに対し、少なくとも夫々、第１絞り装置の、該第１絞りと同一の又は該第１絞りと異なる他の絞り（又は絞り無し）と第２絞り装置の、該第２絞りと同一の又は該第２絞りと異なる他の絞り（又は絞り無し）とが割り当てられる等し、その結果、複数の異なるマイクロ光学系システムが複数の異なる光分布を生成するようにすることも可能である。個々のマイクロ光学系システムの選択的な活性化（アクティベーション）によって、尤もこのためにはこれらのシステムに対し少なくともグループ毎に独立に制御可能な固有の光源（複数）が割り当てられている必要があるが、この方法で、異なる複数の個別光分布を生成することができ、これらは重ね合わせ状態でも作動（利用）可能である。
【００４８】
更に、入射光学系と出射光学系から構成されるプロジェクション装置は、２つの互いに分離された（別体の）部材から形成されており、及び、該出射光学系は該入射光学系に対しシフト可能に（可動）支承されており、該出射光学系及び／又は第２絞り装置は、マイクロプロジェクション光モジュールの組立状態において、垂直方向及び／又は水平方向に及び／又は入射光学系に対し平行にシフト可能であると、好都合であり得る。
【００４９】
この場合、出射光学系及び／又は第２絞り装置のシフトのために、夫々１つの方向について夫々１つのアクチュエータ、有利にはピエゾアクチュエータが設けられていると、とりわけ有利であり得る。
【００５０】
本発明に応じたマイクロプロジェクション光モジュールのこの実施形態では、プロジェクション装置のユーザフレンドリーな位置整合的組立てが提供される。
【００５１】
更に、光源は少なくとも１つの半導体系光源を含み、該半導体系光源は有利には１つの、２つの又は３つ以上のＬＥＤ及び／又はレーザダイオードを有し、該ＬＥＤ及び／又はレーザダイオードは有利には互いに対し独立に制御可能であると、有利であり得る。
【００５２】
「制御可能」とは、この場合、第一義的には、オンオフ切換えとして理解されるべきである。また、付加的には、この語は、光源のＬＥＤ（発光ダイオード）及び／又はレーザダイオードの明暗調節（減光化：Dimmen）として理解することも可能である。
【００５３】
更に、マイクロプロジェクション光モジュールの光源が２つの又は３つ以上の場合、該光源は互いに対し独立に制御可能であるよう、構成可能である。
【００５４】
この場合、「互いに対し独立に」とは、実際に全ての光源が互いに対し独立に制御可能であること、又は、光源（複数）がグループ毎に互いに対し独立に制御可能であることとして理解されるべきである。
【００５５】
更に、１つのマイクロ入射光学系と１つのマイクロ出射光学系とから構成される各マイクロ光学系システムに、丁度１つの、好ましくは半導体系の、光源が割り当てられており、該光源は好ましくは丁度１つの発光ダイオード（ＬＥＤ）又は丁度１つのレーザダイオードを含むよう、構成可能である。
【００５６】
試験済みの一実施形態では、２つの又は３つ以上の光源グループが設けられており、各光源グループは少なくとも１つの光源を含み、１つの光源グループの複数の光源は同じ色の光を放出し、異なる光源グループの光源は異なる色の光を放出し、各光源グループは、少なくとも１つのプロジェクション装置の当該光源グループに特異的に割り当てられた領域を照明し、及び、当該複数の領域は同一に構成されている、ないし、同じ光分布を生成するよう構成されている。
【００５７】
ここで留意すべきことは、第１絞り装置及び／又は第２絞り装置の位置及び／又は入射光学系の形状（例えば各入射光学系の厚み及び／又は入射光学系を形成するマイクロ入射光学系の湾曲）は夫々の光源グループに適合化されるべきであることである。上述のように、第１絞り装置は好ましくはプロジェクション装置の焦点面に配されている。入射光学系及び出射光学系を形成する材料の分散状態（ばらつき：Dispersion）（屈折率の光波長依存性）によって、マイクロ光学系システムの焦点の位置は色（緑、赤又は青）毎に異なる。その結果、同じ（１つの）プロジェクション装置の例えば赤色光、緑色光又は青色光によって照射された複数の部分の又は照射された複数のプロジェクション装置の焦点面は必ずしも一致しない。これにより、またもや、光像に（放射された光分布に）色収差（ないし色エラー：Farbfehler）（縦色収差（ないし軸上色収差：Farblaengsfehler）及び／又は横色収差（ないし倍率色収差：Farbquerfehler））が生じ得るが、第１絞り装置の位置は、及び場合によっては第２絞り装置の位置も、光源から放射される光の色に適合化される。
【００５８】
この場合、３つの光源グループが設けられ、好ましくは、１つの光源グループは赤色光を、１つの（更なる）光源グループは緑色光を、１つの（他の更なる）光源グループは青色光を放出すると、好都合であり得る。
【００５９】
上記の課題は、更に、少なくとも１つの、好ましくは２つの又は３つ以上の上述したようなマイクロプロジェクション光モジュールを含む、自動車両用投光装置のための照明装置によって解決される。
【００６０】
好ましい一実施形態では、マイクロプロジェクション光モジュールの２つの又は３つ以上のグループが設けられており、各グループは１つの、２つの又は３つ以上のマイクロプロジェクション光モジュールを含み、１つのグループの複数のマイクロプロジェクション光モジュールは同じ光分布を生成し、異なるグループのマイクロプロジェクション光モジュールは、異なる光分布を生成し、マイクロプロジェクション光モジュールの各グループの光源は、他のグループの光源とは独立に制御可能であるよう、構成可能である。
【００６１】
この場合、１つのグループのマイクロプロジェクション光モジュールのプロジェクション装置は１つの共通の部材を形成していると、有利であり得る。
【００６２】
尤も、（１つのグループの）全てのマイクロプロジェクション光モジュールのプロジェクション装置は１つの共通の部材を形成していると、格別に有利である。
【００６３】
更に、異なる光分布を生成するための２つの又は３つ以上のグループが設けられており、各グループは夫々異なる光分布を生成し、該光分布は以下の複数の光分布： 
・コーナリング用ライト（Abbiegelicht）の光分布；
・市街地用ライト（Stadtlicht）の光分布；
・幹線道路用ライト（Landstrassenlicht）の光分布；
・アウトバーン用ライトの光分布；
・アウトバーン用ライトのための補助ライト（Zusatzlicht）の光分布；
・カーブ用ライト（Kurvenlicht）の光分布；
・減光用ライト（Abblendlicht）の光分布；
・減光用ライト−前部領域（Vorfeld）の光分布；
・遠方領域（Fernfeld）における非対称的減光用ライトのための光分布；
・カーブ用ライトモードの場合の遠方領域における非対称的減光用ライトのための光分布；
・遠方用ライト（Fernlicht）の光分布；
・絞りのない遠方用ライトの光分布、
の１つとして選択されていると、好都合であり得る。
【００６４】
とりわけレーザ光源を使用する場合、尤も、その場合のみに限定されるわけではないが、照明装置は２つの又は３つ以上のマイクロプロジェクション光モジュールを含み、各マイクロプロジェクション光モジュールは少なくとも１つの光源グループを有し、各光源グループは少なくとも１つの光源を含み、１つの光源グループの複数の光源は同じ色の光を放出し、異なる色の光を放出する少なくとも２つの光源グループが設けられており、各光源グループは、そのマイクロプロジェクション光モジュールの少なくとも１つのプロジェクション装置の当該光源グループに特異的に割り当てられた領域を照明し、当該複数の領域は同一に構成されている、ないし、同じ光分布を生成するよう構成されていると、なお好都合であることも判明した。
【００６５】
格別に有利な実施形態によれば、３つのグループの光源グループが設けられており、有利には、複数の光源グループの１つの光源グループは赤色光を、複数の光源グループの１つの（更なる）光源グループは緑色光を、複数の光源グループの１つの（他の更なる）光源グループは青色光を放出し、複数の光源グループの各グループは少なくとも１つの光源グループを含む。
【００６６】
以下において、本発明は図面に示されている例示的な非限定的実施例を用いて詳細に説明されている。
【図面の簡単な説明】
【００６７】
【図１】従来技術に応じたマイクロプロジェクション光モジュールの一例の模式的分解斜視図。
【図２】本発明に応じたマイクロプロジェクション光モジュールの一例の模式的側面図。
【図２ａ】図２のマイクロプロジェクション光モジュールの一発展形態の側面図。
【図２ｂ】図２ａのマイクロプロジェクション光モジュールの矢視Ｂ’−Ｂ’断面図。
【図２ｃ】本発明に応じたマイクロプロジェクション光モジュールの一例のマイクロ光学系システムの一例の模式的斜視図と垂直切断面。
【図２ｄ】図２ｃの切断面Ａ−Ａで切ったマイクロ光学系システムの断面図。
【図２ｅ】図２ｃのマイクロ光学系システムと水平切断面。
【図２ｆ】図２ｅの切断面Ｂ−Ｂで切ったマイクロ光学系システムの断面図。
【図３】１つの、２つの又は３つ以上の絞り（遮光部材：Blende）を有する第１絞り装置の一例の模式図。
【図３ａ】図３の第１絞り装置を有する光モジュールの一例によって生成される、結像エラーないし収差（複数）を有する全体光分布の一例の模式図。
【図３ｂ】図３の第１絞り装置の個々の絞りによって生成される、結像エラーないし収差（複数）を有する部分光分布（複数）の一例の模式図。これらの部分光分布は共同で（全部合わせて）図３ａの全体光分布を形成する。
【図４】第２絞り装置の第１変形例。
【図４ａ】図４の第２絞り装置の個々の絞りによって生成される、結像エラーないし収差の無い部分光分布（複数）。
【図５】第２絞り装置の第２変形例。
【図５ａ】図５の第２絞り装置の個々の絞りによって生成される、結像エラーないし収差の無い部分光分布（複数）。
【図６ａ】本発明に応じたマイクロプロジェクション光モジュールの一例の４つのマイクロ光学系システムを含む部分。なお、各マイクロ光学系システムは３つの部分で構成されている。
【図６ｂ】本発明に応じたマイクロプロジェクション光モジュールの一例の４つのマイクロ光学系システムを含む部分。なお、各マイクロ光学系システムは４つの部分で構成されている。
【図７】出射光学系を垂直方向にシフトするためのアクチュエータの一例を有するマイクロプロジェクション光モジュールの一例。
【図８】出射光学系を水平方向にシフトするためのアクチュエータの一例を有するマイクロプロジェクション光モジュールの一例。
【図９】出射光学系を垂直方向にシフトするためのアクチュエータの一例と出射光学系を水平方向にシフトするためのアクチュエータの一例とを有するマイクロプロジェクション光モジュールの一例。
【図１０ａ】光分布の一例の模式図。
【図１０ｂ】出射光学系の垂直方向下方へのシフトの、図１０ａの光分布に対する影響。
【図１０ｃ】出射光学系の垂直方向上方へのシフトの、図１０ａの光分布に対する影響。
【図１１ａ】本発明に応じた光モジュールの一例又はそのような光モジュールの１つの又は２つ以上のマイクロ光学系システムの一例により生成される部分光分布の一例。
【図１１ｂ】出射光学系の水平方向左方へのシフトの、図１１ａの部分光分布に対する影響。
【図１１ｃ】出射光学系の水平方向左方への更なるシフトの、図１１ａの部分光分布に対する影響。
【図１２】本発明に応じた複数のマイクロプロジェクション光モジュールから構築される照明装置の一例の模式図。
【図１３ａ】マイクロ光学系システムの一変形例。
【図１３ｂ】マイクロ光学系システムの他の一変形例。
【図１３ｃ】マイクロ光学系システムの更に他の一変形例。
【図１４ａ】夫々異なる色を有する複数の光源の使用により、白色の全体光分布を生成するための構造の一例の模式図。
【図１４ｂ】夫々異なる色を有する複数の光源の使用により、白色の全体光分布を生成するための構造の他の一例の模式図。
【実施例】
【００６８】
図１は、従来技術による自動車両用投光装置のためのマイクロプロジェクション光モジュール１ｓの一例を模式的に示す。マイクロプロジェクション光モジュール１ｓは、光源２とプロジェクション装置３ｓとを有し、プロジェクション装置３ｓは、光源２から出射する光を自動車両の前方の領域に少なくとも１つの光分布（配光パターン）の形で結像する。図中の座標は、光出射方向Ｚと、Ｚに対し直角をなしかつ垂直（鉛直）方向Ｖに対し直角をなす水平方向Ｈを表す。なお、概念「水平（左右）」及び「垂直（上下）」は、自動車両に組み込まれた自動車両用投光装置に組み込まれたマイクロプロジェクション光モジュールの状態に関するものである。
【００６９】
光源２は、有利には、例えば１つの、２つの又は３つ以上のＬＥＤ及び／又はレーザダイオードを有する半導体系（型）光源である。
【００７０】
光源２は、その光を前置光学系装置４に、例えばコリメータに入射し、該装置は、光源２の光を、プロジェクション装置３ｓに出射する前に、実質的に平行に配向する（揃える）。
【００７１】
プロジェクション装置３ｓは、図１に記載されているように、複数のマイクロ入射光学系３１のアレイ（マトリックス）を有する入射光学系３０と、複数のマイクロ出射光学系４１のアレイを有する出射光学系４０とを有し、各マイクロ入射光学系３１には、丁度１つのマイクロ出射光学系４１が割り当てられている。
【００７２】
図１に応じた光モジュールのマイクロ入射光学系３１は、この場合、１つのマイクロ入射光学系３１から出射する光が丁度１つのそれに割り当てられたマイクロ出射光学系４１にのみ入射するよう、構成されており、及び／又は、マイクロ入射光学系３１とマイクロ出射光学系４１は、１つのマイクロ入射光学系３１から出射する光が丁度１つのそれに割り当てられたマイクロ出射光学系４１にのみ入射するよう、互いに対し配置されている（そのような位置関係にある）。この場合、マイクロ入射光学系（複数）３１によって予め成形された（vorgeformt）光はマイクロ出射光学系（複数）４１によって自動車両の前方の領域に少なくとも１つの光分布として結像される。
【００７３】
更に、入射光学系３０と出射光学系４０との間に、第１絞り装置５０が配置されている。第１絞り装置５０によって、これについては以下において更に詳細に説明するが、プロジェクション装置を貫通通過する光の流れ（光流）は、（夫々）定義された形状を有する、例えば１つの又は２つ以上の明暗境界（線）（Hell-Dunkel-Grenzen）を有する、１つの又は２以上の光分布を生成できるよう、切り揃えられる（絞られるないし境界成形される）ことができる。
【００７４】
完全を期すためにここで更に留意すべきことは、第１絞り装置５０がほぼ黒く塗り潰されている図１の記載は、該絞り装置５０の形態については何も示していないことである。図１の記載は全く模式的なものに過ぎず、第１絞り装置５０の存在及びその凡その位置を示すことのみを意図している。
【００７５】
入射光学系３０は、マイクロ入射光学系（複数）３１から形成されておりかつ前置光学系装置４から分離されて構成されているただ１つの部材である。この場合、マイクロ入射光学系（複数）３１は、直接的に、有利には互いに対し隙間なしに、隣接配置されており、上述したように及び図１に示されているように、アレイを形成する。
【００７６】
同様に、出射光学系４０は、マイクロ出射光学系（複数）４１から形成されているただ１つの部材である。この場合、マイクロ出射光学系（複数）４１は、直接的に、有利には互いに対し隙間なしに、隣接配置されており、上述したように及び図１に示されているように、アレイを形成する。
【００７７】
ここで、本発明に応じたマイクロプロジェクション光モジュール１の本質的コンポーネント（複数）とそれらの関係を側面図において模式的に示す図２を参照する。マイクロプロジェクション光モジュール１は、光源２とプロジェクション装置３とを含み、プロジェクション装置３は、光源２から出射する光を自動車両の前方の領域に少なくとも１つの光分布（配光パターン）の形で結像する。
【００７８】
光源２は、同様に、有利には、例えば１つの、２つの又は３つ以上のＬＥＤ及び／又はレーザダイオードを有する半導体系（型）光源である。
【００７９】
光源２は、その光を、同様に、前置光学系装置４に、例えばコリメータに入射し、該装置は、光源２の光を、プロジェクション装置３に出射する前に、実質的に平行に揃える。
【００８０】
プロジェクション装置３は、同様に、複数のマイクロ入射光学系３１のアレイ（マトリックス）を有する入射光学系３０と、複数のマイクロ出射光学系４１のアレイを有する出射光学系４０とを有し、各マイクロ入射光学系３１には、丁度１つのマイクロ出射光学系４１が割り当てられている。図１に示した従来のプロジェクション装置３ｓとは異なり、図２のプロジェクション装置３の入射光学系３０は、少なくとも１つの平面的境界面３１’を有し、平面的境界面３１’は、有利にはコリメータとして構成されている前置光学系装置４に指向されている。ここで留意すべきことは、入射光学系３０は、本発明の更なる一発展形態においては、前置光学系装置４と一体的に構成されているか（図２ａ及び図２ｂ）又は前置光学系装置４に固定的に結合されていることである。前置光学系装置４から出射する光は、少なくとも１つの平面的境界面３１’に当射するが、この場合、有利には、平面的境界面３１’の全体を照射する。
【００８１】
更に、図２に応じたマイクロプロジェクション光モジュール１におけるマイクロ入射光学系３１は、１つのマイクロ入射光学系３１から出射する光が丁度１つのそれに割り当てられたマイクロ出射光学系４１にのみ入射するよう、構成されており、及び／又は、マイクロ入射光学系３１とマイクロ出射光学系４１は、１つのマイクロ入射光学系３１から出射する光が丁度１つのそれに割り当てられたマイクロ出射光学系４１にのみ入射するよう、互いに対し配置されている（そのような位置関係にある）。この場合、マイクロ入射光学系（複数）３１によって予め成形された（vorgeformt）光はマイクロ出射光学系（複数）４１によって自動車両の前方の領域に少なくとも１つの光分布として結像される。
【００８２】
本発明の一発展形態では、図２ａに示されているように、第１絞り装置（遮蔽装置）５０及び／又は第２絞り装置（遮蔽装置）６０が設けられており、これ（ら）は、入射光学系３０と、複数のマイクロ出射光学系４１から形成されている出射光学系４０との間に配置されており、第１絞り装置５０は、有利には、入射光学系３０と第２絞り装置６０との間に配置されている。この場合、第１絞り装置５０によって、上述したように、プロジェクション装置３を貫通通過する光流は、（夫々）定義された形状を有する、例えば１つの又は２つ以上の明暗境界（線）を有する、１つの又は２以上の光分布を生成できるよう、切り揃えられる（絞られる、境界成形される）ことができる。第２絞り装置６０によって、以下において詳細に説明するように、例えば絞り装置５０の使用により生成される光分布は、大幅に（十分に）補正されることができる。かくして、例えば、明暗境界の退色ないし変色（Verfaerbung）をもたらすことがあり、人間の眼には不快かつ眩惑的に感じられる上述した色収差（縦色収差及び／又は横色収差）は、光像中において低減されることができる。
【００８３】
更に、入射光学系３０は前置光学系装置４と一体的に構成されるか又は前置光学系装置４に固定的に結合され、及び、出射光学系４０は第２絞り装置６０と一体的に構成されるか又は第２絞り装置６０に固定的に結合されている。この形態は図２ｂに示されている。この場合、プロジェクション装置は、第２の任意的な絞り装置６０を含まないことも全く可能であり、その場合、出射光学系は第１絞り装置５０と一体的に構成されるか又は第１絞り装置５０に固定的に結合されることができる。
【００８４】
図２ｃ及び図２ｅは、１つのマイクロ入射光学系３１とそれに割り当てられた１つのマイクロ出射光学系４１とから構成されるマイクロ光学系システムの一例を分解斜視図において示す。マイクロ入射光学系３１は湾曲境界面３０’を有し、該湾曲境界面３０’はマイクロ出射光学系４１に指向されている。この場合、境界面３０’の湾曲は、図２ｃ〜図２ｆに示されているように、湾曲境界面３０’が光伝播方向に凸状に反るよう、構成されている。更に、図２ｃ及び図２ｅは、マイクロ入射光学系３１とマイクロ出射光学系４１との間の領域にある第１絞り装置５０の一部と第２絞り装置６０の一部を示している。
【００８５】
図２ｄと図２ｆに示されたマイクロ光学系システムを観察すると、マイクロ入射光学系３１はそれ自身を貫通通過する光を垂直方向においてマイクロ光学系焦点Ｆ１に合焦（集束ないし集光）することが図２ｄから分かる。この場合、マイクロ光学系焦点Ｆ１は、有利には、マイクロ入射光学系３１とマイクロ出射光学系４１とから構成されるマイクロ光学系システムの焦点と一致する。即ち、図２ｄは、前置光学系装置４から出射し有利には互いに対し平行に配向された、１つの垂直面（即ち図２ｃの切断面Ａ−Ａ）内にある、光線（複数）を示し、ないしは、この切断面Ａ−Ａへの光線（複数）の投射を示す。
【００８６】
従って、前置光学系装置４から平行に出射する光線（複数）は、マイクロ入射光学系３１によって、光伝播方向に見て当該マイクロ入射光学系３１に割り当てられたマイクロ出射光学系４１の前方に位置する焦点Ｆ１に合焦（集束）される。
【００８７】
冒頭において既に説明されているが、完全を期すためにここで再度留意すべきことは、ここでは説明の単純化のために、（本書の）他の部位においては本願の全開示の枠内において一般的に、「１つの焦点」における合焦（集束：Fokussierung）について考察（検討）していることである。実際には、即ち現実（の装置）では、光線（複数）は孤立の焦点に合焦されるのではなく、当該焦点を含む焦点面（Brennflaeche）に結像される。この焦点面は焦平面（Brennebene）であり得るが、一般的には、この焦点面は、結像エラー（収差）（複数）とより高次の補正（この補正は光軸に対して大きな角度をなす光線（複数）の光伝播を考察する際に実用上の近似に加えて考慮されるべきものである）の結果、平面的にではなく、湾曲的に「構成される」ことも可能である、即ち、光線（複数）は該焦点を含む（１つの）湾曲面に結像される。この場合、焦点面の湾曲により、生成される光分布にエラーが生じる（図３ａ及び図３ｂ参照）。
【００８８】
各マイクロ光学系システムは、そのため、入射光学系３０と出射光学系４０との間に位置する１つの焦点Ｆ１を有し、該焦点Ｆ１には、それに割り当てられたマイクロ入射光学系３１の光が有利には合焦される。
【００８９】
更に、マイクロ出射光学系４１は（１つの）焦点を有する。該焦点は、マイクロ光学系焦点Ｆ１と及び当該マイクロ出射光学系４１に割り当てられたマイクロ入射光学系３１の焦点と好ましくは一致する。従って、光は焦点Ｆ１に合焦され、そして、それに割り当てられたマイクロ出射光学系４１を貫通通過する際に垂直方向に相応にコリメートされた後、自動車両の前方の領域に投射される。この様子については図２ｄに模式的に示されている。
【００９０】
更に、図２ｆは水平方向Ｈにおける挙動を示す。即ち、１つの水平面に、即ちほぼ図２ｅの切断面Ｂ−Ｂに含まれる光線（ないし光ビーム）（複数）ないしこの面内への光線（複数）の投射が考察される（示されている）。図２ｆから分かるように、マイクロ入射光学系３１とマイクロ出射光学系４１とから構成される各マイクロ光学系システムは、当該（マイクロ出射）光学系を貫通通過する光を水平方向において拡開する。そのため、各マイクロ光学系システムはそれ自身を貫通通過する光を水平方向において１つの焦点（これは（光伝播方向において）マイクロ出射光学系４１の後方に（下流側に）位置する）に合焦する。この焦点は、有利には、対応するマイクロ出射光学系４１の焦点Ｆ２と一致する。従って、光は、個々のマイクロ光学系システムの部分光分布の所望の幅を達成するために、水平方向において拡開される。
【００９１】
ここでまたもや留意すべきことは、ここでは理想化された光学システムが記載されていることである。実際上は、マイクロ光学系システムの第１の光学系も第２の光学系も、しばしば、フリーフォーム（Freiform）として構成され、これによって、（１つの）焦点面への上述したような結像がもたらされる。更に、１つのマイクロ光学系システムからの光の少なくとも一部分ＳＬがマイクロ入射光学系３１とそれに割り当てられたマイクロ出射光学系の間に生じ、当該１つのマイクロ光学系システムの隣に位置するマイクロ光学系システム内に散乱的に（散乱された状態で）入り込む（図２ｄ）。そのため、マイクロ光学系システムとマイクロ光学系システムとの間にいわゆるクロストーク（Uebersprechen）が起こり、これによって、エラーを含む光分布（図３ａ、図３ｂ参照）が生成される。この場合、任意的に設けられる第２絞り装置６０は、クロストークを引き起こす不所望の光の部分ＳＬをブロックし、図示のマイクロ入射光学系３１からの光が専らそれに割り当てられたマイクロ出射光学系４１に到達させるアパーチャ絞りとして機能することも可能である。上述のマイクロ光学系システムの本質的特徴の１つは、当該マイクロ光学系システムがそれ自身を貫通通過する光を水平面内（水平方向）において拡開することである。
【００９２】
マイクロ入射光学系３１は、これに応じ、好ましくは、光を垂直方向及び水平方向において集束する集束光学系（Sammeloptik）として構成される。この場合、マイクロ入射光学系３１は例えばフリーフォーム光学系（Freiform-Optik）として構成されることも可能である。
【００９３】
マイクロ入射光学系３１の湾曲境界面３０’に関しては、更に、各湾曲境界面３０’の湾曲は曲率半径最小値を有すること、即ち、この値を下回るべきではないことに留意すべきである。かくして、上述したように、全反射（Totalreflexion）が、従って、付加的な光損失が低減ないし回避される。
【００９４】
この場合、マイクロ入射光学系３１は複数の異なる曲率半径最小値を有することができる。更に、例えば図２ｄ及び図２ｆから分かるように、マイクロ入射光学系３１の境界面３０’は水平方向と垂直方向において異なる湾曲（曲率）を有し、有利には、垂直方向Ｖにおける境界面３０’の曲率半径（図２ｄ）は、水平方向Ｈにおける境界面３０’の曲率半径（図２ｆ）よりも小さい。その結果、例えば、各マイクロ入射光学系は、それ自身を貫通通過する光を、垂直方向Ｖにおけるよりも水平方向Ｈにおいて、より弱く（より小さい収束角で）合焦する。
【００９５】
更に、マイクロ入射光学系３１の反対側に指向されたマイクロ出射光学系の境界面が種々異なるように湾曲可能であることも、全く可能である。
【００９６】
マイクロ出射光学系４１は、通常、プロジェクション光学系として、例えば球面レンズ又は非球面レンズとして、構成されている。マイクロ出射光学系４１がフリーフォームレンズとして構成されることも可能である。
【００９７】
ここで、図１３ａ〜図１３ｃを簡単に参酌する。上記において及び以下の説明においては、各マイクロ入射光学系３１及び各マイクロ出射光学系４１は夫々単一のレンズから形成されていることが前提とされている。しかしながら、マイクロ入射光学系３１及び／又はマイクロ出射光学系４１はそれ自体も同様に夫々１つの、２つの又は３つ以上の「光学系」ないし光学要素から構成されることも可能である。このためには、（１つの）マイクロ光学系のこの「マイクロ・マイクロ・光学要素」の各々は、同じ焦平面を有する必要がある。例えば、一方の又は両方のマイクロ光学系は、夫々異なる光学的作用領域を有するフレネルレンズであり得る。尤も、（１つの）マイクロ入射光学系の複数の光学的領域（マイクロ・マイクロ・光学系）の各々は、各マイクロ・マイクロ・出射光学系内に光を放射する必要はない。
【００９８】
更に、図２ａ〜図２ｃから分かるように、互いに割り当て関係にあるマイクロ入射光学系３１とマイクロ出射光学系４１の互いに対し反対側に指向された（abgewandt）境界面３１’、４１’は、互いに対し合同的に、有利には平面的に、構成されており、好ましくは更に互いに対し合同的に（kongruent）配置されている。
【００９９】
図示の例では、面３１’、４１’は方形的に構成されているが、他の形状、例えば矩形面又は６角形面も、全く可能である。
【０１００】
互いに割り当て関係にあるマイクロ入射光学系３１とマイクロ出射光学系４１の光軸３１０、４１０は、好都合な態様では互いに対し平行に延伸するが、プロジェクション装置３全体の組立の観点からは、２つの光軸３１０、４１０が一致すると、とりわけ有利である。
【０１０１】
第１絞り装置５０は、有利には、マイクロ光学系焦点（複数）Ｆ１によって画成される面に位置する。この場合、有利には、絞り装置５０は、各マイクロ光学系システム（図２ｃ、図２ｅ参照）に対し夫々１つの絞り（Blende）を有し、該絞りは１つの又は２つ以上の光学的に作用する絞りエッジを有する。
【０１０２】
第２絞り装置６０は、第１絞り装置５０と出射光学系４０との間に位置する。好ましくは、この場合、第２絞り装置６０は、各マイクロ光学系システム（図２ｃ、図２ｅ参照）に対し夫々１つの絞りを有し、該絞りは１つの又は２つ以上の光学的に作用する絞りエッジを有し、そのため、迷光（ないし散乱光：Streulicht）ＳＬ（図２ｄ）の通過の阻止に役立つ。
【０１０３】
図２ｃ、図２ｅは、（１つの）光学的に作用する絞りエッジ５２’を有する第１絞り５２と（１つの）光学的に作用する更なるエッジ６２’を有する第２絞り６２とが割り当てられているマイクロ光学系システムを示す。このシステムを貫通通過する光は、まず、第１絞りエッジ５２’に対応して切り揃えられ（絞られ）、かくして、第１絞りエッジ５２’は光像中おいて明暗境界（線）として結像される。更に、光は、個々のマイクロ光学系システム（複数）間にクロストークが起こらないようにかつ焦点面の湾曲によって生じた光分布ＧＬＶの結像エラーＹ１、Ｙ２（図３ａ、図３ｂ参照）が除去されるよう、第２絞りエッジ６２’に対応して切り揃えられる（絞られる）。
【０１０４】
第１絞り装置５０と第２絞り装置６０は、従って、少なくとも一対の互いに割り当て関係にあるマイクロ入射光学系３１とマイクロ出射光学系４１のために、１つの絞りを有することになる。尤も、好ましくは、第１絞り装置５０と第２絞り装置６０は、複数対の、とりわけ全ての対の互いに割り当て関係にあるマイクロ入射光学系３１とマイクロ出射光学系４１のために、夫々少なくとも１つの、例えば丁度１つの光学的に作用する絞りエッジ５１’、５２’、５３’、５４’、５５’、６１’、６２’、６３’、６４’、６５’を有する（夫々１つの）絞り５１、５２、５３、５４、５５、６１、６２、６３、６４、６５を有する（図３及び図４）。
【０１０５】
従来技術から既知の第１絞り装置５０は図３に模式的に示されている。図３は、この第１絞り装置５０を前方から（von Vorne）見た状態を示しているが、第１絞り装置５０は５つの異なるタイプの（５種類の）絞り５１〜５５を有している。これらの絞り５１〜５５の各々は、非透光性材料５１’’、５２’’、５３’’、５４’’、５５’’から構成されており、これらは、光が貫通通過可能な（図示されているような）丁度１つの又は（不図示の）２つ以上の透光性貫通穴５１’’’、５２’’’、５３’’’、５４’’’、５５’’’を有する。これらの絞りの絞りエッジ５１’、５２’、５３’、５４’、５５’は、夫々の部分光像において、上方に対する光像の境界を形成する（光像に対する上方境界を形成する）上方に位置する明暗境界（線）として結像される。なお、「前方（vorn）」という概念は、本発明との関連においては、マイクロプロジェクション光モジュールの光伝播方向／主放射方向に関係付けられていることに留意すべきである。
【０１０６】
これらの絞りの各々は丁度１つのマイクロ光学系システムに割り当てられており、全てのマイクロ光学系システムが光で照射されると、図３ａに模式的に示されているような、全体光分布ＧＬＶが、全ての部分光分布の重ね合わせとして生成する。図示の全体光分布ＧＬＶは、図示の例では、非対称明暗境界を有する減光用光分布である。
【０１０７】
図３ｂは、絞り５１〜５５の各々の一例と、これらの絞りの紙面左側に、夫々対応する絞りによって生成される部分光分布ＬＶ１〜ＬＶ５とを模式的に示す。
【０１０８】
この図から明確に分かるように、結像エラーによって及び隣り合うマイクロ光学系システム間のクロストークによって、結像エラー部分領域Ｘ１、Ｘ２、Ｘ３、Ｘ４、Ｘ５、Ｘ６が部分光分布ＬＶ２、ＬＶ４、ＬＶ５に生じ、これらの重ね合わせにより、全体光分布ＧＬＶに結像エラー大領域Ｙ１、Ｙ２が生じる。
【０１０９】
図４は、結像エラーの除去に役立つ本発明に応じた第２絞り装置６０の一例を示す。この図では、第２絞り装置６０は前方から見た状態が示されている。これによれば、第２絞り装置６０は、５つの異なるタイプの（５種類の）絞り６１〜６５を有することが分かる。これらの絞り６１〜６５の各々は、非透光性材料６１’’、６２’’、６３’’、６４’’、６５’’から構成されており、これらは、光が貫通通過可能な（図示されているような）丁度１つの又は（不図示の）２つ以上の透光性貫通穴６１’’’、６２’’’、６３’’’、６４’’’、６５’’’を有する。第１絞り装置によって既に切り揃えられた（絞られた）光像は、生成される部分光分布及び（全体）光分布に結像エラー部分領域Ｘ１〜Ｘ６が最早存在しないよう、そして、その結果、結像エラー大領域Ｙ１、Ｙ２が最早存在しないよう、これらの貫通穴によって更に切り揃えられる（絞られるないしトリミングされる）。このことは、絞りエッジの形状によって達成される。この場合、絞りの下側絞りエッジ６２’、６４’、６５’の形状は、（逆）切妻状（giebelfoermig）の形状、但し一般的には中央部から外側に向かって斜めに上昇する形状であるととりわけ有利であることが判明した。これらは、それぞれの部分光像において、上方に対する光像の境界を形成する（光像に対する上方境界を形成する）上方に位置する明暗境界（線）として結像される。この場合、非透光性領域６１’’〜６５’’は、（隣り合う）マイクロ光学系システム間にクロストークが生成しないよう、即ち、或る１つのマイクロ光学系システムからその隣にあるマイクロ光学系システムに迷光（散乱光）ＳＬ（図２ｄに示された光の部分ＳＬ）が入り込まないよう、構成されかつ調整されている。かくして、結像エラーＹ２は低減ないし除去される。
【０１１０】
図４ａは、絞り６１〜６５の各々の一例と、これらの絞りの紙面左側に、夫々対応する絞りによって生成される、結像エラー部分領域Ｘ１〜Ｘ６がない部分光分布ＬＶ１’〜ＬＶ５’とを模式的に示す。
【０１１１】
図５は、第２絞り装置７０の更なる一実施例を示す。図４及び図４ａの第２絞り装置６０と対比すると、図５の第２絞り装置７０の複数の絞り７３ａ〜７３ｄ及び７５ａ〜７５ｆの少なくとも一部は夫々１つの透光性貫通穴７３ａ’’’〜７３ｄ’’’及び７５ａ’’’〜７５ｆ’’’を有する。この場合、絞り７３ａ〜７３ｄ及び７５ａ〜７５ｆは、各自の貫通穴７３ａ’’’〜７３ｄ’’’及び７５ａ’’’〜７５ｆ’’’を貫通通過する光が部分光分布ＬＶ３’’及びＬＶ５’’（図５ａ）を形成するよう配置されている。この場合、部分光分布ＬＶ３’’及びＬＶ５’’は、全体光分布の中央部の領域（の形成）に、即ち、放射（投射）される光分布の照明強度（明るさ：Beleuchtungsstaerke）の所望の最大（値）のほぼその周囲の領域に、寄与する。なお、この領域では、例えばより大きな照明強度（明るさ）が必要とされる。
【０１１２】
図５に記載された第２絞り装置７０の実施形態は格別に有利である。なぜなら、例えば、図５に応じた第２絞り装置７０の代わりに図４に応じた第２絞り装置６０を使用することにより、光流のかなりの部分（ないし大部分：Grossteil）が遮られ、そのため、例えば法律上定められたＨＶ点（試験スクリーン上の水平線Ｈと垂直線Ｖの交点）における光流値が達成されないであろうからである。その原因は、部分光分布ＬＶ３ないしＬＶ５の生成のために必要な光がプロジェクション装置の焦点面ないし中間像面に強く合焦されることにある。その後、更なるビーム拡開が行われることにより、光線（複数）の幾つかが光軸に対して大きな角度をなし得る（形成し得る）が、そのため、第２絞り装置７０の貫通穴７３ａ’’’〜７３ｄ’’’及び７５ａ’’’〜７５ｆ’’’は、十分な光量を貫通通過させるために、非常に大きいものである必要がある。
【０１１３】
図４、図４ａ、図５、図５ａに記載したこれらの方策により、例えば結像エラーフリーの（結像エラーの無い）減光用光分布を本発明に応じた光モジュールによって生成することが可能になるが、その際、該結像エラーフリーの減光用光分布に対し、個々のマイクロ光学系システムは、夫々、結像エラーフリーの部分光分布の形で定義された寄与を行う。
【０１１４】
このような光モジュールによって、更に、任意の結像エラーフリーの全体光分布を生成することができる。夫々少なくとも１つの固有の光源を備えた第１及び第２絞りを用いたマイクロ光学系システム（複数）のグループ毎の照明（gruppenweises Anleuchten）によって、目標を定めて予め設定された（及び絞りエッジの形状によって特定された）結像エラーフリーの部分光分布（複数）を活性化すること（又は遮光（ausgeblendet）すること）ができ、かくして、例えば動的な（dynamisch）光分布を生成することができる。
【０１１５】
入射光学系（単数又は複数）及び出射光学系（単数又は複数）の構成（形態）は、場合によっては、光分布の限定的な形成のみを可能にする。有利には標準化された上述したような絞りを使用することにより、相応の選択により所望の全体光分布をもたらす１つの、２つの又は３つ以上の部分光分布を生成することができる。
【０１１６】
絞り（複数）は、例えば、絞り装置を「形成する」個別の絞り（複数）としても構成可能であり、有利には、図示されているような、光を貫通通過させる（透過させる）ための相応の開口（複数）／貫通穴（複数）が設けられている絞り装置部材（遮蔽部材）、例えば平面的な薄板、である。
【０１１７】
図６ａ及び図６ｂは、２×２のアレイに配置された夫々４つのマイクロ光学系システムを有する本発明に応じたマイクロプロジェクション光モジュールの一例の一部分を示す。マイクロ光学系システム間には、第１絞り装置及び第２絞り装置が配置されている。なお、図６ａはマイクロプロジェクション光モジュールの３ピース構成（なお、第２絞り装置６０、７０と出射光学系４０は一体的に構成されていることに留意すべきである）を示し、図６ｂはマイクロプロジェクション光モジュールの４ピース構成（入射光学系３０、出射光学系、第１絞り装置５０及び第２絞り装置６０、７０は互いに別体に構成されている）を示す。
【０１１８】
図６ａに示されている一変形例の場合、入射光学系３０と、第１絞り装置５０と、第２絞り装置６０、７０と一体的に構成された出射光学系４０は、互いに別体に構成されており、典型的には互いに対し所定の距離をおいて配置されている。この例では、入射光学系３０は４つのマイクロ入射光学系３０ａ、３０ｂ、３０ｃ、３０ｄとして構成され、出射光学系４０は４つのマイクロ出射光学系４０ａ、４０ｂ、４０ｃ、４０ｄとして構成されている。この例におけるマイクロ入射光学系及びマイクロ出射光学系の個数は決定的なものではない。入射光学系及び出射光学系は何れも異なる個数のマイクロ光学系を有することができる（図１３ｃも参照）。マイクロ入射光学系（複数）は、マイクロ出射光学系に指向されたそれらの出射面について種々異なる曲率半径を有することができる。マイクロ出射光学系（複数）のほうでも、同様に、マイクロ入射光学系の反対側に指向されたそれらの出射面について種々異なる曲率半径を有することができる。
【０１１９】
第２絞り装置６０、７０は、この場合、複数の境界面の１つの蒸着（鍍金）（Bedampfen）によって、又は、吸収性（吸光性）の被膜を付着した後目標を定めて例えばレーザビームによって再び（部分的に）除去することによって、生成することができる。
【０１２０】
尤も、この場合、第２絞り装置６０、７０は、出射光学系４０から別体に（分離されて）構成された部材として構成されていることも可能であり、この構成は図６ｂに示されている。この場合、第２絞り装置６０、７０は、例えば金属製の精密マスク（シャドーマスク（Lochmaske）、ラインマスク（Strichmasken）、ラスタ（Raster）等）の形で組み込まれる（嵌め込まれる）ことができる。
【０１２１】
図６ａ及び図６ｂに示された変形例を組み合わせることは勿論可能である。例えばプロジェクション装置３の調整可能性（焦平面間の距離、光軸の配向等）の理由から、第２絞り装置６０、７０を出射光学系４０から分離し、他方、第１絞り装置５０を第２絞り装置６０、７０と一体的に構成すると、有利であり得る。第１絞り装置５０がマイクロ光学系システム（複数）の焦点（複数）によって画成される面（この面はプロジェクション装置３の焦点面を形成する）に配置されていると、光像のシャープネス（鮮明さ）の観点から有利である。この場合、光像は、第１絞り装置５０の形状によって規定され、第２絞り装置６０、７０によって修正されて、結像エラーフリーの状態にされる。
【０１２２】
本発明に応じ、入射光学系と出射光学系は互いに別体に（分離されて）構成されている。この場合、組立の際に個々の部材の煩瑣な位置合わせを必要とするが、この場合、個々の部材は、以下に更に詳細に説明するように、互いに対し相対的に運動可能であると有利である。
【０１２３】
図７〜図９は、出射光学系４０が入射光学系３０に対しシフト可能に（支承）支持されている複数の実施例を示す。この場合、前置光学系装置４、入射光学系３０、第１絞り装置５０、第２絞り装置６０、７０及び出射光学系４０は互いに別体に（分離されて）構成されている。尤も、上記を考慮すれば、例えば入射光学系３０と前置光学系装置４が一体的に構成されるか又は固定的に結合されており及び／又は第２絞り装置６０、７０と出射光学系４０及び／又は第１絞り装置５０と一体的に構成されるか又は固定的に結合されている実施形態も全く可能であり、場合によっては有利である。かくして、例えば、上述したように、前置光学系装置４と入射光学系３０とが一体的に構成されているか又は固定的に結合されている本発明の一発展形態は、反射及び／又は全反射に起因する光損失が光学的に関連する部材間の境界面の減少によって減少されるという利点をもたらす。
【０１２４】
出射光学系４０は、マイクロプロジェクション光モジュール１に組み込まれた状態において、垂直方向に（図７）、水平方向に（図８）、又は垂直方向及び水平方向に（図９）シフトすることができる。このようにして、光像は、例えば照明幅調節のために及び／又は動的なカーブ用ライト機能の実現のために、垂直方向に及び／又は水平方向にシフトすることができる。
【０１２５】
出射光学系４０は、この場合有利には、入射光学系３０に対し平行に、及び／又は第１絞り装置５０に対し平行に、及び／又は第２絞り装置６０、７０に対し平行にシフトされる。
【０１２６】
夫々の方向において出射光学系４０をシフトするために、夫々１つのアクチュエータ１４０、１４１が設けられており、具体的一実施形態では、少なくとも１つのアクチュエータ１４０、１４１はピエゾアクチュエータである。そのようなピエゾアクチュエータの典型的な調節ストローク（Stellweg）は１００μｍ（マイクロメートル）の範囲にある。尤も、原理的には、調節ストロークが＜１ｍｍ（１ミリメートル未満）である他のアクチュエータも使用することができる。
【０１２７】
光像全体の一様なシフト即ち光像自体は変化せずその位置のみが変化するシフトを達成するためには、当該シフトに関連する全てのマイクロ光学系システムが、とりわけマイクロ出射光学系（複数）が同じ光学パラメータを有すると、とりわけ同一に構成されると、好都合である。
【０１２８】
更に、プロジェクション装置を設計する場合に留意すべきことは、出射光学系をシフトする場合にも、マイクロ入射光学系から出射する光が（それに）割り当てられていないマイクロ出射光学系に入射しないか又はその僅かな部分しか入射しないようにすることである。この部分は、上述したように、第２絞り装置によって減少される。
【０１２９】
尤も、マイクロ光学系システム（複数）は、光像の目標を定めた変化を達成するために、異なるように構成されることも可能である。
【０１３０】
具体的例示的実施形態では、結像光学系即ち出射光学系のシフトは僅かなもので十分であり、例えば光像の０．８°（だけ）のシフトのために０．０３ｍｍ（だけ）の出射光学系のシフトで十分である。例えば、図１０ａは模式的光分布の一例を示し、図１０ｂは出射光学系４０の垂直方向下方へのシフト後の同じ光分布を示し、図１０ｃは出射光学系４０の垂直方向上方へのシフトの光分布に対する影響を示す。この場合、光分布の形状は変化しなかったか又は僅かしか変化しなかったが、他方、光分布は上方へ又は下方へ移動している。
【０１３１】
凡そ２．５°の照明幅調節は、例えば凡そ１ｍｍの（１つの）ストローク（Hub）で達成することができる。
【０１３２】
出射光学系４０のシフトによって、更に、光像にある程度の歪みが生じ得る。この場合、システム全体を設計する際には、この歪みが法律上及び技術上の要求を満たす（べき）ことが考慮されるべきである。この歪みは同様に第２絞り装置６０、７０によって減少されることができる。
【０１３３】
図１１ａは、本発明に応じたマイクロプロジェクション光モジュール１又はそのようなマイクロプロジェクション光モジュール１の１つの又は２つ以上のマイクロ光学系システムによって生成される例示的な部分光分布を示し、図１１ｂは、出射光学系４０の水平方向左方へのシフトの図１１ａの部分光分布に対する影響を示し、図１１ｃは、出射光学系４０の水平方向左方への更なるシフトの該部分光分布に対する影響を示す。図１１ｂは、結像を行う出射光学系４０の凡そ０．１ｍｍ（だけ）のシフトを示し、図１１ｃは、出射光学系４０の凡そ０．２ｍｍ（だけ）のシフトを示す。
【０１３４】
このことから分かるように、垂直方向及び／又は水平方向における光像の大きなシフトを実現するためには、（出射光学系の）僅かなシフトで十分である。
【０１３５】
（１つの）プロジェクションレンズを有する従来のプロジェクションシステムの場合、該レンズは６０ｍｍ〜９０ｍｍの典型的な直径を有する。これに対し、本発明に応じたマイクロプロジェクション光モジュールの場合、個々のマイクロ光学系システムは、（夫々Ｖ及びＨにおける）凡そ２ｍｍ×２ｍｍの典型的寸法と凡そ６ｍｍ〜１０ｍｍの（Ｚにおける）奥行き（Tiefe）を有するため、Ｚ方向における本発明に応じたマイクロプロジェクション光モジュールの奥行きは従来のモジュールと比べると著しくより小さい。
【０１３６】
本発明に応じたマイクロプロジェクション光モジュールは小さな構造空間奥行き（Bauraumtiefe）を有し、原理的に自由に構成可能である。即ち、例えば、第１の部分光分布を生成するための第１のマイクロプロジェクション光モジュールと第２の部分光分布のための第２のマイクロプロジェクション光モジュールとを別体のものとして（相互に分離して）構成すること、及び、これらの光モジュールを比較的に自由に、即ち垂直方向Ｖ及び／又は水平方向Ｈ及び／又は奥行き方向Ｚにおいて互いに対しずらされた状態で自動車両用投光装置（前照灯など）内に配置することが可能であり、そのため、設計の条件もより容易に実現することができる。
【０１３７】
本発明に応じたマイクロプロジェクション光モジュールの更なる利点の１つは、プロジェクション装置を極めて正確に製造できること（このことは現代の製造方法を利用すれば問題なく実現可能である）、しかも、そのために、プロジェクション光学系に対する光源（単数又は複数）の正確な位置合わせは不要であることである。正確な位置合わせは、少なくとも１つの光源が複数のマイクロ入射光学系（これらは全て実質的に同じ光像を生成する）のアレイ全体を照明するという限りにおいて副次的な意味を辛うじて有するに過ぎない。換言すれば、このことは、まさに、「本来の（eigentlich）」光源が１つの又は２つ以上の実際的（real）光源と複数のマイクロ入射光学系とから形成されていることを意味している。そして、この「本来の」光源は、マイクロ出射光学系（複数）を照明し、場合によっては、それに割り当てられた絞りも照明する。尤も、マイクロ入射光学系とマイクロ出射光学系は、これらはいわば１つのシステムを構成しているため、既に互いに対し適切に調整されていることからすると、実際的光源（単数又は複数）の位置合わせが正確でないことの重要性はより小さくなっている。
【０１３８】
図１２は、上述したようなマイクロプロジェクション光モジュールを１つ、２つ又は３つ以上含む、自動車両用投光装置のための照明装置の一例を更に示す。この場合、種々異なる光モジュールの複数のグループが設けられており、例えば、図１２には、グループＡＡ、ＡＡ１、ＡＡ２、ＳＳ１、ＢＦ１〜ＢＦ８、ＦＬ、ＡＢＬ、ＳＡ１、ＳＡ２のマイクロプロジェクション光モジュールが記載されており、これらは共同で（全部合わせて）照明装置を形成する。各グループＡＡ、ＡＡ１、ＡＡ２、ＳＳ１、ＢＦ１〜ＢＦ８、ＦＬ、ＡＢＬ、ＳＡ１、ＳＡ２は、有利には、１つの、２つの又は３つ以上のマイクロプロジェクション光モジュールを含む。
【０１３９】
図示の例では、各グループは以下に列挙されている丁度１つのマイクロプロジェクション光モジュールを有する。
ＡＡは、遠方領域（Fernfeld）における非対称的な、有利には結像エラーフリーの減光用ライトＬＶＡＡを生成するためのマイクロプロジェクション光モジュールの一例を表す；
ＡＡ１、ＡＡ２は、カーブ用ライトモードの場合の遠方領域における有利には結像エラーフリーの、非対称的な減光用ライト（ロービーム）ＬＶＡＡ１、ＬＶＡＡ２を生成するためのマイクロプロジェクション光モジュールの一例を表す；
ＳＳ１は、対称的な、有利には結像エラーフリーの光分布ＬＶＳＳ１（減光用ライトの前部領域（Vorfeld）、市街地用ライト（Stadtlicht））を生成するためのマイクロプロジェクション光モジュールの一例を表す；
ＢＦ１〜ＢＦ８は、有利には結像エラーフリーかつ絞り無しの遠方用ライト（ハイビーム：Fernlicht）ＬＶＢＦ１〜ＬＶＢＦ８を生成するためのマイクロプロジェクション光モジュールの例を表す；個々の、有利には結像エラーフリーの光分布ＬＶＢＦ１〜ＬＶＢＦ８は共同で（全部合わせて）１つの有利には結像エラーフリーの遠方用ライトの光分布ないしその一部を生成する；該個々の、有利には結像エラーフリーの光分布は、必要に応じ、互いに対し独立に遮光される（ausgeblendet）ことができる；
ＦＬは、有利には結像エラーフリーの遠方用ライトＬＶＦＬを生成するためのマイクロプロジェクション光モジュールの一例を表す；
ＡＢＬは、有利には結像エラーフリーのコーナリング用ライト（Abbiegelicht）ＬＶＡＢＬを生成するためのマイクロプロジェクション光モジュールの一例を表す；
ＳＡ１、ＳＡ２は、有利には結像エラーフリーのアウトバーン用ライトＬＶＳＡ１、ＬＶＳＡ２のための補助ライト成分を生成するためのマイクロプロジェクション光モジュールの例を表す。
【０１４０】
そのような照明装置の場合、マイクロプロジェクション光モジュールの各グループＡＡ、ＡＡ１、ＡＡ２、ＳＳ１、ＢＦ１〜ＢＦ８、ＦＬ、ＡＢＬ、ＳＡ１、ＳＡ２の光源は他のグループの光源とは独立に制御可能であり、そのため、個々の結像エラーフリーの光分布ないし部分光分布が互いに対し独立にオンオフ切換え可能及び／又は明暗調節可能であると、有利である。
【０１４１】
図１２は純然たる模式図であり、図１２が問題にしているのは「マイクロプロジェクション光モジュール（複数）」である。実際、図１２は、個々のマイクロプロジェクション光モジュールのプロジェクション装置ＡＡ、ＡＡ１、ＡＡ２、ＳＳ１、ＢＦ１〜ＢＦ８、ＦＬ、ＡＢＬ、ＳＡ１、ＳＡ２を専らかつ純粋に模式的に示している。図１２において見出すことができるように、個々のマイクロプロジェクション光モジュールのプロジェクション装置ＡＡ、ＡＡ１、ＡＡ２、ＳＳ１、ＢＦ１〜ＢＦ８、ＦＬ、ＡＢＬ、ＳＡ１、ＳＡ２は、例えば弓形に湾曲した（geschwungen）帯状体の形の１つの共通の部材を形成する。これらのプロジェクション装置は、例えば薄板（ないしシート：Folie）上に配置されることができる。
【０１４２】
かくして、本発明によって、レンズアレイをマイクロ入射光学系（複数）及びマイクロ出射光学系（複数）から自由に形成することができ、２つの又は３つ以上の本発明に応じたマイクロプロジェクション光モジュールを１つの共通のマイクロプロジェクション装置部材を介して１つの照明装置にまとめることができる。この場合、１つの予め設定される所定のマイクロプロジェクション光モジュール（従って１つの独立に制御可能な光源）に割り当てられているプロジェクション装置部材の複数の領域について、複数のマイクロ光学系システムが同一に構成されていると有利である。
【０１４３】
更に、図１３ａ〜図１３ｃは、上記において簡単に説明したように、マイクロ光学系及び任意的に配設可能な絞り装置の幾つかの可能な変形例、組み合わせ又はその他の細部を示す。
【０１４４】
図１３ａは、（１つの）マイクロ光学系においてマイクロ入射光学系３１がフレネルレンズとしてかつマイクロ出射光学系４１が「伝統的な」レンズとして構成されている一例を示す。
【０１４５】
図１３ｂは、マイクロ入射光学系３１が「伝統的な」レンズとしてかつマイクロ出射光学系４１がフレネルレンズとして構成されている一例を示す。
【０１４６】
図１３ｃは、マイクロ入射光学系３１が「伝統的な」レンズとしてかつマイクロ出射光学系４１が（複数の）マイクロ・マイクロ・出射光学系（マイクロ・マイクロ・レンズ）のアレイとして構成されている一例を示す。この場合、第１絞り装置５０の図示の（断片）部分も第２絞り装置６０、７０の図示の（断片）部分も夫々異なる数の絞りを含むことができる。例えば、図１３ｃにおける第１絞り装置５０の（断片）部分がただ１つの絞りのみを含み、第２絞り装置６０、７０の（断片）部分が複数の絞りを含み、各絞りが（夫々）１つのマイクロ・マイクロ・出射光学系に対応すること、及び、これらの反対の構成、も全く可能である。
【０１４７】
図１３ａ〜図１３ｃに表されている重要な特徴の１つは、第２絞り装置６０、７０（この絞り装置が設けられている場合）が光伝播方向において第１絞り装置５０（設けられている場合）とマイクロ出射光学系４１との間に配置されており、アパーチャ絞りとして作用する（機能する）ことである。第２絞り装置６０、７０の位置は、従って、光路中において自由には選択可能でない。第１絞り装置５０は、照明視野絞り（Leuchtfeldblende）／視野絞り（Gesichtfeldblende）である。この場合、光像品質に関し、第１絞り装置をマイクロ光学系システムの焦点面又は中間像面に配置すると、有利である。
【０１４８】
図１４ａ及び図１４ｂは２つの更なる実施形態を示す。この場合、複数の異なる領域、例えば丁度３つの異なる領域は、（夫々）異なる色Ｒ、Ｇ、Ｂを有する光源（複数）２を有するマイクロ光学系システム３によって照明されるよう構成される。例えば、１つの領域は赤色光Ｒで、他の１つの領域は緑色光Ｇで、第３の領域は青色光Ｂで照明されるよう構成される。
【０１４９】
この場合、複数の異なる領域は、１つのプロジェクション装置３（図１４ａ）に属する（割り当てられる）ことができるが、複数の異なる（２つの又は３つ以上の、例えば図１４ｂに示されているような３つの）プロジェクション装置にないし１つのプロジェクション装置又は２つの若しくは３つ以上の、とりわけ３つのプロジェクション装置に属する（割り当てられる）ことも可能である。この場合、重要なことは、マイクロ光学系システムの各領域が他の領域と同じ光分布を生成することだけである。上記の色収差（色エラー）を考慮に入れるために、図１４ａのプロジェクション装置の場合、第１絞り装置は３つの部分絞り装置５０Ｒ、５０Ｇ、５０Ｂを含み、各部分絞り装置は夫々の色に対応する焦点面に配置されるよう構成されている。そのため、図１４ａから分かるように、赤色光Ｒについてのマイクロ光学系システムの焦点は光伝播方向に見て緑色光Ｇについてのマイクロ光学系システムの焦点より更に前方に位置し、他方、緑色光Ｇについてのマイクロ光学系システムの焦点は青色光Ｂについてのマイクロ光学系システムの焦点の前方に位置する。
【０１５０】
図１４ａに示された実施形態は、夫々異なる色の光を放射する全ての光源がただ１つの、有利には一体的に構成された、入射光学系に割り当てられているという利点を有する。この場合、第１絞り装置及び／又は第２絞り装置は、色収差（色エラー）の補正のために寄与可能な３つの部分絞り装置を含むよう構成されることもできる。
【０１５１】
図１４ｂには、一体的に又は夫々別体に（互いに分離されて）構成可能な３つのプロジェクション装置３Ｒ、３Ｇ、３Ｂを含む実施形態が示されている。この例では、第１絞り装置５０と第２絞り装置６０、７０が設けられている。これらのプロジェクション装置は、この例では、夫々１つの光の色に対応する３つのプロジェクション装置３Ｒ、３Ｇ、３Ｂの焦点面が一致するよう構成されている入射光学系３０Ｒ、３０Ｇ、３０Ｂの形状について互いに相違する。この効果は、例えば、これらの入射光学系を形成するマイクロ入射光学系（複数）の厚み及び／又は湾曲（曲率：Kruemmung）の適合化によって達成することができる。マイクロ入射光学系（複数）の厚み及び／又は湾曲（曲率）を変化することによって、マイクロ光学系システム（複数）の焦点距離はそのように変化され、かくして、図１４ｂに示されているように、入射光学系３０の境界面３１’と焦点面との間の距離は、光の色Ｒ、Ｇ、Ｂと独立に（に依存することなく）設定（確定）されることができる。この場合、有利には一体的に構成されている図１４ｂの第１絞り装置５０は、プロジェクション装置３Ｒ、３Ｇ、３Ｂの互いに一致する焦点面に配置されている。図１４ｂに示されている実施形態は設計の自由度が大きいという利点を有し、この大きな設計自由度は例えば互いに別体に（分離されて）構成された３つのプロジェクション装置３Ｒ、３Ｇ、３Ｂによって与えられることができる。
【０１５２】
複数の異なる領域からの光像／光分布を重ね合わせることにより、全体として、白色の、有利には結像エラーフリーの、１つの光像／１つの白色の有利には結像エラーフリーの光分布が生成される。
【０１５３】
本発明との関連において、光源としてレーザ光源が使用される場合、レーザの照明強度は大きいため、（１つの）白色光分布を生成するために必要なマイクロプロジェクションアレイ（領域）の数を少なくすることができ、そのため、横方向においてより小さい光モジュールを形成することができる。
【図１】
2018531495.tif 000003
【図２】
2018531495.tif 000004
【図２ａ】
2018531495.tif 000005
【図２ｂ】
2018531495.tif 000006
【図２ｃ】
2018531495.tif 000007
【図２ｄ】
2018531495.tif 000008
【図２ｅ】
2018531495.tif 000009
【図２ｆ】
2018531495.tif 000010
【図３】
2018531495.tif 000011
【図３ａ】
2018531495.tif 000012
【図３ｂ】
2018531495.tif 000013
【図４】
2018531495.tif 000014
【図４ａ】
2018531495.tif 000015
【図５】
2018531495.tif 000016
【図５ａ】
2018531495.tif 000017
【図６ａ】
2018531495.tif 000018
【図６ｂ】
2018531495.tif 000019
【図７】
2018531495.tif 000020
【図８】
2018531495.tif 000021
【図９】
2018531495.tif 000022
【図１０ａ】
2018531495.tif 000023
【図１０ｂ】
2018531495.tif 000024
【図１０ｃ】
2018531495.tif 000025
【図１１ａ】
2018531495.tif 000026
【図１１ｂ】
2018531495.tif 000027
【図１１ｃ】
2018531495.tif 000028
【図１２】
2018531495.tif 000029
【図１３ａ−１３ｃ】
2018531495.tif 000030
【図１４ａ】
2018531495.tif 000031
【図１４ｂ】
2018531495.tif 000032
【手続補正書】
【提出日】平成30年8月27日(2018.8.27)
【手続補正１】
【補正対象書類名】特許請求の範囲
【補正対象項目名】全文
【補正方法】変更
【補正の内容】
【特許請求の範囲】
【請求項１】
自動車両用投光装置用のマイクロプロジェクション光モジュールであって、
該マイクロプロジェクション光モジュールは、
・少なくとも１つの光源（２）、及び、
・該少なくとも１つの光源（２）から出射する光を自動車両の前方の領域に少なくとも１つの光分布の形で結像する少なくとも１つのプロジェクション装置（３）
を含み、
該プロジェクション装置（３）は、
・１つの、２つの又は３つ以上のマイクロ入射光学系（３１）を有する入射光学系（３０）、及び、
・１つの、２つの又は３つ以上のマイクロ出射光学系（４１）を有する出射光学系（４０）
を含み、
各マイクロ入射光学系（３１）には丁度１つのマイクロ出射光学系（４１）が割り当てられており、
１つのマイクロ入射光学系（３１）から出射する光の全体がそれに割り当てられたマイクロ出射光学系（４１）のみに正確に入射するよう、マイクロ入射光学系（３１）は構成されており及び／又はマイクロ入射光学系（３１）とマイクロ出射光学系（４１）は互いに対し配置されており、
マイクロ入射光学系（３１）によって予め成形された光は、マイクロ出射光学系（４１）によって、自動車両の前方の領域に、少なくとも１つの光分布（ＬＶ１−ＬＶ５；ＧＬＶ）として結像され、
前記少なくとも１つの光源（２）には前置光学系装置（４）が割り当てられており、
該少なくとも１つの光源（２）は、それ自身から放出される光を該少なくとも１つの前置光学系装置（４）内に放射し、
該前置光学系装置（４）は、それ自身から出射する光が平行に配向されるよう、構成されており、
入射光学系（３０）は少なくとも１つの平面的境界面（３１’）を有し、
該少なくとも１つの平面的境界面（３１’）は該前置光学系装置（４）に指向されている、
マイクロプロジェクション光モジュール。
【請求項２】
請求項１に記載のマイクロプロジェクション光モジュールにおいて、
前置光学系装置（４）から出射する光は少なくとも１つの平面的境界面（３１’）に当射する、
マイクロプロジェクション光モジュール。
【請求項３】
請求項１又は２に記載のマイクロプロジェクション光モジュールにおいて、
前置光学系装置（４）から出射する光は、平面的境界面（３１’）の全体を照射する、
マイクロプロジェクション光モジュール。
【請求項４】
請求項１〜３の何れかに記載のマイクロプロジェクション光モジュールにおいて、
前置光学系装置（４）はコリメータとして構成されている、
マイクロプロジェクション光モジュール。
【請求項５】
請求項１〜４の何れかに記載のマイクロプロジェクション光モジュールにおいて、
前置光学系装置（４）は入射光学系（３０）と一体的に構成されている、
マイクロプロジェクション光モジュール。
【請求項６】
請求項１〜５の何れかに記載のマイクロプロジェクション光モジュールにおいて、
１つのマイクロ入射光学系（３１）と当該１つのマイクロ入射光学系（３１）に割り当てられた１つのマイクロ出射光学系（４１）は１つのマイクロ光学系システムを構成し、
該マイクロ光学系システムは、少なくとも１つのマイクロ光学系焦点（Ｆ１）を有し及び／又は当該マイクロ光学系システムを貫通通過する光を水平方向に拡開する、
マイクロプロジェクション光モジュール。
【請求項７】
請求項１〜６の何れかに記載のマイクロプロジェクション光モジュールにおいて、
各マイクロ入射光学系（３１）は、当該マイクロ入射光学系（３１）を貫通通過する光を前記少なくとも１つのマイクロ光学系焦点（Ｆ１）に合焦する、
マイクロプロジェクション光モジュール。
【請求項８】
請求項６又は７に記載のマイクロプロジェクション光モジュールにおいて、
各マイクロ入射光学系（３１）のマイクロ光学系焦点（Ｆ１）は、光出射方向において、当該マイクロ入射光学系（３１）に割り当てられたマイクロ出射光学系（４１）の前方に位置し、
複数のマイクロ入射光学系（３１）は、それら自身を貫通通過する光を、垂直方向において、夫々、マイクロ出射光学系（４１）の前方に位置するマイクロ光学系焦点（Ｆ１）に合焦し、
複数のマイクロ出射光学系（４１）は、各自に割り当てられたマイクロ入射光学系（３１）のマイクロ光学系焦点（Ｆ１）に一致する焦点を有する、
マイクロプロジェクション光モジュール。
【請求項９】
請求項１〜８の何れかに記載のマイクロプロジェクション光モジュールにおいて、
各マイクロ入射光学系（３１）は湾曲境界面（３０’）を有し、
該湾曲境界面（３０’）は曲率半径最小値（Ｒｍｉｎ）を有する、
マイクロプロジェクション光モジュール。
【請求項１０】
請求項１〜９の何れかに記載のマイクロプロジェクション光モジュールにおいて、
各マイクロ入射光学系（３１）は集束光学系として又はフリーフォーム光学系として構成されており、及び／又は、各マイクロ出射光学系（４１）は投影光学系として又は非球面レンズとして又はフリーフォームレンズとして構成されている、
マイクロプロジェクション光モジュール。
【請求項１１】
請求項１〜１０の何れかに記載のマイクロプロジェクション光モジュールにおいて、
互いに割り当て関係にあるマイクロ入射光学系（３１）とマイクロ出射光学系（４１）の前記前置光学系装置（４）に指向された境界面（３１’、４１’）は、互いに対し合同的に及び／又は平面的に構成されている、
マイクロプロジェクション光モジュール。
【請求項１２】
請求項１〜１１の何れかに記載のマイクロプロジェクション光モジュールにおいて、
互いに割り当て関係にあるマイクロ入射光学系（３１）とマイクロ出射光学系（４１）の光軸（３１０、４１０）は、互いに対し平行に延伸するか又は一致している、
マイクロプロジェクション光モジュール。
【請求項１３】
請求項１〜１２の何れかに記載のマイクロプロジェクション光モジュールにおいて、
入射光学系（３０）と出射光学系（４０）の間には、少なくとも１つの第１絞り装置（５０）が配置されており、
該第１絞り装置（５０）は、複数のマイクロ光学系焦点（Ｆ１）によって画成される面に配置されている、
マイクロプロジェクション光モジュール。
【請求項１４】
請求項１３に記載のマイクロプロジェクション光モジュールにおいて、
入射光学系（３０）と出射光学系（４０）の間には、少なくとも１つの第２絞り装置（６０、７０）が配置されている、
マイクロプロジェクション光モジュール。
【請求項１５】
請求項１４に記載のマイクロプロジェクション光モジュールにおいて、
前記第２絞り装置（６０、７０）は、少なくとも一対の又は複数対の又は全ての対の互いに関連付けられたマイクロ入射光学系とマイクロ出射光学系（３１、４１）のために、夫々少なくとも１つの又は丁度１つの光学的に作用する絞りエッジ（６１’〜６５’、７１’〜７５’）を有する絞り（６１〜６５、７１〜７５）を有する、
マイクロプロジェクション光モジュール。
【請求項１６】
請求項１４又は１５に記載のマイクロプロジェクション光モジュールにおいて、
前記第１絞り装置（５０）と前記第２絞り装置（６０）は同一に構成されており、及び／又は、前記第１絞り装置（５０）は前記第２絞り装置（６０）と一体的に構成されている、
マイクロプロジェクション光モジュール。
【請求項１７】
請求項１４〜１６の何れかに記載のマイクロプロジェクション光モジュールにおいて、
出射光学系（４０）は少なくとも１つの第２絞り装置（６０、７０）と一体的に構成されており、及び／又は、第２絞り装置（６０、７０）は入射光学系（３０）に指向された出射光学系（４０）の境界面（４０’）に配されている、
マイクロプロジェクション光モジュール。
【請求項１８】
請求項１〜１７の何れかに記載のマイクロプロジェクション光モジュールにおいて、
入射光学系（３０）と出射光学系（４０）から構成されるプロジェクション装置（３）は、２つの互いに分離された部材で形成されており、及び、該出射光学系（４０）は該入射光学系（３０）に対しシフト可能に支持されており、
該出射光学系（４０）及び／又は第２絞り装置（６０、７０）は、マイクロプロジェクション光モジュール（１）の組立状態において、垂直方向及び／又は水平方向に及び／又は入射光学系（３０）に対し平行にシフト可能である、
マイクロプロジェクション光モジュール。
【請求項１９】
請求項１〜１８の何れかに記載のマイクロプロジェクション光モジュールにおいて、
前記光源（２）は少なくとも１つの半導体系光源を含み、該半導体系光源は１つの、２つの又は３つ以上のＬＥＤ及び／又はレーザダイオードを有する、
マイクロプロジェクション光モジュール。
【請求項２０】
請求項１〜１９の何れかに記載のマイクロプロジェクション光モジュールにおいて、
マイクロプロジェクション光モジュール（１）の光源が２つの又は３つ以上の場合、該光源は互いに対し独立に制御可能である、
マイクロプロジェクション光モジュール。
【請求項２１】
請求項１〜２０の何れかに記載のマイクロプロジェクション光モジュールにおいて、
１つのマイクロ入射光学系（３１）と１つのマイクロ出射光学系（４１）とから構成される各マイクロ光学系システムに、丁度１つの光源が割り当てられている、
マイクロプロジェクション光モジュール。
【請求項２２】
請求項１〜２１の何れかに記載のマイクロプロジェクション光モジュールにおいて、
２つの又は３つ以上の光源グループが設けられており、
各光源グループは少なくとも１つの光源（２）を含み、
１つの光源グループの複数の光源（２）は同じ色（Ｒ、Ｇ、Ｂ）の光を放出し、
異なる光源グループの光源は異なる色（Ｒ、Ｇ、Ｂ）の光を放出し、
各光源グループは、少なくとも１つのプロジェクション装置の当該光源グループに特異的に割り当てられた領域（３Ｒ、３Ｇ、３Ｂ）を照明し、
当該複数の領域（３Ｒ、３Ｇ、３Ｂ）は同一に構成されているか又は同じ光分布を生成するよう構成されている、
マイクロプロジェクション光モジュール。
【請求項２３】
請求項１〜２２の何れかに記載のマイクロプロジェクション光モジュールを１つ、２つ又は３つ以上含む、自動車両用投光装置用の照明装置。
【請求項２４】
請求項２３に記載の照明装置において、
マイクロプロジェクション光モジュール（ＡＡ、ＡＡ１、ＡＡ２、ＳＳ１、ＢＦ１〜ＢＦ８、ＦＬ、ＡＢＬ、ＳＡ１、ＳＡ２）の２つの又は３つ以上のグループが設けられており、
各グループは、１つの、２つの又は３つ以上のマイクロプロジェクション光モジュール（１）を含み、
１つのグループの複数のマイクロプロジェクション光モジュール（ＡＡ、ＡＡ１、ＡＡ２、ＳＳ１、ＢＦ１〜ＢＦ８、ＦＬ、ＡＢＬ、ＳＡ１、ＳＡ２）は、同じ光分布（ＬＶＡＡ、ＬＶＡＡ１、ＬＶＡＡ２、ＬＶＳＳ１、ＬＶＢＦ１〜ＬＶＢＦ８、ＬＶＬＦ、ＬＶＡＢＬ、ＬＶＳＡ１、ＬＶＳＡ２）を生成し、
異なるグループのマイクロプロジェクション光モジュール（ＡＡ、ＡＡ１、ＡＡ２、ＳＳ１、ＢＦ１〜ＢＦ８、ＦＬ、ＡＢＬ、ＳＡ１、ＳＡ２）は、異なる光分布（ＬＶＡＡ、ＬＶＡＡ１、ＬＶＡＡ２、ＬＶＳＳ１、ＬＶＢＦ１〜ＬＶＢＦ８、ＬＶＬＦ、ＬＶＡＢＬ、ＬＶＳＡ１、ＬＶＳＡ２）を生成し、
マイクロプロジェクション光モジュールの各グループの光源は、他のグループの光源とは独立に制御可能である、
照明装置。
【請求項２５】
請求項２４に記載の照明装置において、
１つのグループのマイクロプロジェクション光モジュール（ＡＡ、ＡＡ１、ＡＡ２、ＳＳ１、ＢＦ１〜ＢＦ８、ＦＬ、ＡＢＬ、ＳＡ１、ＳＡ２）の又は全てのマイクロプロジェクション光モジュールの、プロジェクション装置（３）は、１つの共通の部材を形成している、
照明装置。
【請求項２６】
請求項２４又は２５に記載の照明装置において、
異なる光分布（ＬＶＡＡ、ＬＶＡＡ１、ＬＶＡＡ２、ＬＶＳＳ１、ＬＶＢＦ１〜ＬＶＢＦ８、ＬＶＬＦ、ＬＶＡＢＬ、ＬＶＳＡ１、ＬＶＳＡ２）を生成するための２つの又は３つ以上のグループが設けられており、
各グループは夫々異なる光分布（ＬＶＡＡ、ＬＶＡＡ１、ＬＶＡＡ２、ＬＶＳＳ１、ＬＶＢＦ１〜ＬＶＢＦ８、ＬＶＬＦ、ＬＶＡＢＬ、ＬＶＳＡ１、ＬＶＳＡ２）を生成し、該光分布は以下の複数の光分布（ＬＶＡＡ、ＬＶＡＡ１、ＬＶＡＡ２、ＬＶＳＳ１、ＬＶＢＦ１〜ＬＶＢＦ８、ＬＶＬＦ、ＬＶＡＢＬ、ＬＶＳＡ１、ＬＶＳＡ２）： 
・コーナリング用ライトの光分布；
・市街地用ライトの光分布；
・幹線道路用ライトの光分布；
・アウトバーン用ライトの光分布；
・アウトバーン用ライトのための補助ライトの光分布；
・カーブ用ライトの光分布；
・減光用ライトの光分布；
・減光用ライト−前部領域の光分布；
・遠方領域における非対称的減光用ライトのための光分布；
・カーブ用ライトモードの場合の遠方領域における非対称的減光用ライトのための光分布；
・遠方用ライトの光分布；
・絞りのない遠方用ライトの光分布
の１つとして選択されている、
照明装置。
【請求項２７】
請求項２３〜２６の何れかに記載の照明装置において、
照明装置は２つの又は３つ以上のマイクロプロジェクション光モジュールを含み、
各マイクロプロジェクション光モジュールは少なくとも１つの光源グループを有し、
各光源グループは少なくとも１つの光源を含み、
１つの光源グループの複数の光源は同じ色（Ｒ、Ｇ、Ｂ）の光を放出し、
異なる色の光を放出する少なくとも２つの光源グループが設けられており、
各光源グループは、そのマイクロプロジェクション光モジュールの少なくとも１つのプロジェクション装置の当該光源グループに特異的に割り当てられた領域（３Ｒ、３Ｇ、３Ｂ）を照明し、
当該複数の領域（３Ｒ、３Ｇ、３Ｂ）は同一に構成されているか又は同じ光分布を生成するよう構成されている、
照明装置。
【請求項２８】
請求項２３〜２７の何れかに記載の照明装置を１つ又は２つ以上有する、自動車両用投光装置。
【請求項２９】
請求項１１に記載のマイクロプロジェクション光モジュールにおいて、
前記境界面（３１’、４１’）は、互いに対し合同的に配置されている、
マイクロプロジェクション光モジュール。
【請求項３０】
請求項１３に記載のマイクロプロジェクション光モジュールにおいて、
前記少なくとも１つの第１絞り装置（５０）は、少なくとも一対の又は複数対の又は全ての対の互いに関連付けられたマイクロ入射光学系とマイクロ出射光学系（３１、４１）のために、夫々少なくとも１つの又は丁度１つの光学的に作用する絞りエッジ（５１’、５２’、５３’、５４’、５５’）を有する絞り（５１、５２、５３、５４、５５）を有する、
マイクロプロジェクション光モジュール。
【請求項３１】
請求項１４に記載のマイクロプロジェクション光モジュールにおいて、
前記第２絞り装置（６０、７０）は、前記第１絞り装置（５０）と出射光学系（４０）との間に又は入射光学系（３０）と前記第１絞り装置（５０）との間に配置されている、
マイクロプロジェクション光モジュール。
【請求項３２】
請求項１５に記載のマイクロプロジェクション光モジュールにおいて、
前記第２絞り装置（６０、７０）の少なくとも２つの絞り又は該第２絞り装置（６０、７０）の全ての絞りは同じ絞りエッジ又は異なる形に形成された絞りエッジを有する、
マイクロプロジェクション光モジュール。
【請求項３３】
請求項３２に記載のマイクロプロジェクション光モジュールにおいて、
前記光学的に作用する絞りエッジ（６１’〜６５’、７１’〜７５’）の少なくとも１つは切妻状の推移を有し、及び／又は、前記絞り（６１〜６５、７１〜７５）の、垂直方向（Ｖ）に関し、少なくとも１つの上側又は下側の光学的に作用する絞りエッジ（６１’〜６５’、７１’〜７５’）は、光軸（３１０、４１０）から絞りの外側に向かって斜めに立ち上がる推移を有する、
マイクロプロジェクション光モジュール。
【請求項３４】
請求項１９に記載のマイクロプロジェクション光モジュールにおいて、
前記ＬＥＤ及び／又はレーザダイオードは互いに対し独立に制御可能である、
マイクロプロジェクション光モジュール。
【請求項３５】
請求項２１に記載のマイクロプロジェクション光モジュールにおいて、
前記丁度１つの光源は、半導体系光源である、
マイクロプロジェクション光モジュール。
【請求項３６】
請求項３５に記載のマイクロプロジェクション光モジュールにおいて、
前記半導体系光源は、丁度１つの発光ダイオード（ＬＥＤ）又は丁度１つのレーザダイオードを含む、
マイクロプロジェクション光モジュール。
【請求項３７】
請求項２２に記載のマイクロプロジェクション光モジュールにおいて、
３つの光源グループが設けられており、第１光源グループは赤色光を、第２光源グループは緑色光を、第３光源グループは青色光を放出する、
マイクロプロジェクション光モジュール。
【手続補正２】
【補正対象書類名】明細書
【補正対象項目名】０００８
【補正方法】変更
【補正の内容】
【０００８】
この課題を解決するために、本発明の一視点により、自動車両用投光装置用のマイクロプロジェクション光モジュールが提供される。該マイクロプロジェクション光モジュールは、
・少なくとも１つの光源、及び、
・該少なくとも１つの光源から出射する光を自動車両の前方の領域に少なくとも１つの光分布の形で結像する少なくとも１つのプロジェクション装置
を含み、
該プロジェクション装置は、
・１つの、２つの又は３つ以上のマイクロ入射光学系を有する入射光学系、及び、
・１つの、２つの又は３つ以上のマイクロ出射光学系を有する出射光学系
を含み、
各マイクロ入射光学系には丁度１つのマイクロ出射光学系が割り当てられており、
１つのマイクロ入射光学系から出射する光の全体がそれに割り当てられたマイクロ出射光学系のみに正確に入射するよう、マイクロ入射光学系は構成されており及び／又はマイクロ入射光学系とマイクロ出射光学系は互いに対し配置されており、
マイクロ入射光学系によって予め成形された光は、マイクロ出射光学系によって、自動車両の前方の領域に、少なくとも１つの光分布として結像され、
前記少なくとも１つの光源には前置光学系装置が割り当てられており、
該少なくとも１つの光源は、それ自身から放出される光を該少なくとも１つの前置光学系装置内に放射し、
該前置光学系装置は、それ自身から出射する光が平行に配向されるよう、構成されており、
入射光学系は少なくとも１つの平面的境界面を有し、
該少なくとも１つの平面的境界面は該前置光学系装置に指向されている（形態１・基本構成）。
【手続補正３】
【補正対象書類名】明細書
【補正対象項目名】００６６
【補正方法】変更
【補正の内容】
【００６６】
以下に、本発明の好ましい実施の形態を示す。
（形態１）上記基本構成参照。
（形態２）形態１のマイクロプロジェクション光モジュールにおいて、前置光学系装置から出射する光は少なくとも１つの平面的境界面に当射することが好ましい。
（形態３）形態１又は２のマイクロプロジェクション光モジュールにおいて、前置光学系装置から出射する光は、平面的境界面の全体を照射することが好ましい。
（形態４）形態１〜３の何れかのマイクロプロジェクション光モジュールにおいて、前置光学系装置はコリメータとして構成されていることが好ましい。
（形態５）形態１〜４の何れかのマイクロプロジェクション光モジュールにおいて、前置光学系装置は入射光学系と一体的に構成されていることが好ましい。
（形態６）形態１〜５の何れかのマイクロプロジェクション光モジュールにおいて、１つのマイクロ入射光学系と当該１つのマイクロ入射光学系に割り当てられた１つのマイクロ出射光学系は１つのマイクロ光学系システムを構成し、
該マイクロ光学系システムは、少なくとも１つのマイクロ光学系焦点を有し及び／又は当該マイクロ光学系システムを貫通通過する光を水平方向に拡開することが好ましい。
（形態７）形態１〜６の何れかのマイクロプロジェクション光モジュールにおいて、各マイクロ入射光学系は、当該マイクロ入射光学系を貫通通過する光を前記少なくとも１つのマイクロ光学系焦点に合焦することが好ましい。
（形態８）形態６又は７のマイクロプロジェクション光モジュールにおいて、各マイクロ入射光学系のマイクロ光学系焦点は、光出射方向において、当該マイクロ入射光学系に割り当てられたマイクロ出射光学系の前方に位置し、
複数のマイクロ入射光学系は、それら自身を貫通通過する光を、垂直方向において、夫々、マイクロ出射光学系の前方に位置するマイクロ光学系焦点に合焦し、
複数のマイクロ出射光学系は、各自に割り当てられたマイクロ入射光学系のマイクロ光学系焦点に一致する焦点を有することが好ましい。
（形態９）形態１〜８の何れかのマイクロプロジェクション光モジュールにおいて、各マイクロ入射光学系は湾曲境界面を有し、該湾曲境界面は曲率半径最小値を有することが好ましい。
（形態１０）形態１〜９の何れかのマイクロプロジェクション光モジュールにおいて、各マイクロ入射光学系は集束光学系として又はフリーフォーム光学系として構成されており、及び／又は、各マイクロ出射光学系は投影光学系として又は非球面レンズとして又はフリーフォームレンズとして構成されていることが好ましい。
（形態１１）形態１〜１０の何れかのマイクロプロジェクション光モジュールにおいて、互いに割り当て関係にあるマイクロ入射光学系とマイクロ出射光学系の前記前置光学系装置に指向された境界面は、互いに対し合同的に及び／又は平面的に構成されていることが好ましい。
（形態１２）形態１〜１１の何れかのマイクロプロジェクション光モジュールにおいて、互いに割り当て関係にあるマイクロ入射光学系とマイクロ出射光学系の光軸は、互いに対し平行に延伸するか又は一致していることが好ましい。
（形態１３）形態１〜１２の何れかのマイクロプロジェクション光モジュールにおいて、入射光学系と出射光学系の間には、少なくとも１つの第１絞り装置が配置されており、該第１絞り装置は、複数のマイクロ光学系焦点によって画成される面に配置されていることが好ましい。
（形態１４）形態１３のマイクロプロジェクション光モジュールにおいて、入射光学系と出射光学系の間には、少なくとも１つの第２絞り装置が配置されていることが好ましい。
（形態１５）形態１４のマイクロプロジェクション光モジュールにおいて、前記第２絞り装置は、少なくとも一対の又は複数対の又は全ての対の互いに関連付けられたマイクロ入射光学系とマイクロ出射光学系のために、夫々少なくとも１つの又は丁度１つの光学的に作用する絞りエッジを有する絞りを有することが好ましい。
（形態１６）形態１４又は１５のマイクロプロジェクション光モジュールにおいて、前記第１絞り装置と前記第２絞り装置は同一に構成されており、及び／又は、前記第１絞り装置は前記第２絞り装置と一体的に構成されていることが好ましい。
（形態１７）形態１４〜１６の何れかのマイクロプロジェクション光モジュールにおいて、出射光学系は少なくとも１つの第２絞り装置と一体的に構成されており、及び／又は、第２絞り装置は入射光学系に指向された出射光学系の境界面に配されていることが好ましい。
（形態１８）形態１〜１７の何れかのマイクロプロジェクション光モジュールにおいて、入射光学系と出射光学系から構成されるプロジェクション装置は、２つの互いに分離された部材で形成されており、及び、該出射光学系は該入射光学系に対しシフト可能に支持されており、
該出射光学系及び／又は第２絞り装置は、マイクロプロジェクション光モジュールの組立状態において、垂直方向及び／又は水平方向に及び／又は入射光学系に対し平行にシフト可能であることが好ましい。
（形態１９）形態１〜１８の何れかのマイクロプロジェクション光モジュールにおいて、前記光源は少なくとも１つの半導体系光源を含み、該半導体系光源は１つの、２つの又は３つ以上のＬＥＤ及び／又はレーザダイオードを有することが好ましい。
（形態２０）形態１〜１９の何れかのマイクロプロジェクション光モジュールにおいて、マイクロプロジェクション光モジュールの光源が２つの又は３つ以上の場合、該光源は互いに対し独立に制御可能であることが好ましい。
（形態２１）形態１〜２０の何れかのマイクロプロジェクション光モジュールにおいて、１つのマイクロ入射光学系と１つのマイクロ出射光学系とから構成される各マイクロ光学系システムに、丁度１つの光源が割り当てられていることが好ましい。
（形態２２）形態１〜２１の何れかのマイクロプロジェクション光モジュールにおいて、２つの又は３つ以上の光源グループが設けられており、
各光源グループは少なくとも１つの光源を含み、
１つの光源グループの複数の光源は同じ色の光を放出し、
異なる光源グループの光源は異なる色の光を放出し、
各光源グループは、少なくとも１つのプロジェクション装置の当該光源グループに特異的に割り当てられた領域を照明し、
当該複数の領域は同一に構成されているか又は同じ光分布を生成するよう構成されていることが好ましい。
（形態２３）形態１〜２２の何れかのマイクロプロジェクション光モジュールを１つ、２つ又は３つ以上含む、自動車両用投光装置用の照明装置も好ましい。
（形態２４）形態２３の照明装置において、マイクロプロジェクション光モジュールの２つの又は３つ以上のグループが設けられており、
各グループは、１つの、２つの又は３つ以上のマイクロプロジェクション光モジュールを含み、
１つのグループの複数のマイクロプロジェクション光モジュールは、同じ光分布を生成し、
異なるグループのマイクロプロジェクション光モジュールは、異なる光分布を生成し、
マイクロプロジェクション光モジュールの各グループの光源は、他のグループの光源とは独立に制御可能であることが好ましい。
（形態２５）形態２４の照明装置において、１つのグループのマイクロプロジェクション光モジュールの又は全てのマイクロプロジェクション光モジュールの、プロジェクション装置は、１つの共通の部材を形成していることが好ましい。
（形態２６）形態２４又は２５の照明装置において、異なる光分布を生成するための２つの又は３つ以上のグループが設けられており、
各グループは夫々異なる光分布を生成し、該光分布は以下の複数の光分布： 
・コーナリング用ライトの光分布；
・市街地用ライトの光分布；
・幹線道路用ライトの光分布；
・アウトバーン用ライトの光分布；
・アウトバーン用ライトのための補助ライトの光分布；
・カーブ用ライトの光分布；
・減光用ライトの光分布；
・減光用ライト−前部領域の光分布；
・遠方領域における非対称的減光用ライトのための光分布；
・カーブ用ライトモードの場合の遠方領域における非対称的減光用ライトのための光分布；
・遠方用ライトの光分布；
・絞りのない遠方用ライトの光分布
の１つとして選択されていることが好ましい。
（形態２７）形態２３〜２６の何れかの照明装置において、
照明装置は２つの又は３つ以上のマイクロプロジェクション光モジュールを含み、
各マイクロプロジェクション光モジュールは少なくとも１つの光源グループを有し、
各光源グループは少なくとも１つの光源を含み、
１つの光源グループの複数の光源は同じ色の光を放出し、
異なる色の光を放出する少なくとも２つの光源グループが設けられており、
各光源グループは、そのマイクロプロジェクション光モジュールの少なくとも１つのプロジェクション装置の当該光源グループに特異的に割り当てられた領域を照明し、
当該複数の領域は同一に構成されているか又は同じ光分布を生成するよう構成されていることが好ましい。
（形態２８）形態２３〜２７の何れかの照明装置を１つ又は２つ以上有する、自動車両用投光装置も好ましい。
（形態２９）形態１１のマイクロプロジェクション光モジュールにおいて、前記境界面は、互いに対し合同的に配置されていることが好ましい。
（形態３０）形態１３のマイクロプロジェクション光モジュールにおいて、前記少なくとも１つの第１絞り装置は、少なくとも一対の又は複数対の又は全ての対の互いに関連付けられたマイクロ入射光学系とマイクロ出射光学系のために、夫々少なくとも１つの又は丁度１つの光学的に作用する絞りエッジを有する絞りを有することが好ましい。
（形態３１）形態１４のマイクロプロジェクション光モジュールにおいて、前記第２絞り装置は、前記第１絞り装置と出射光学系との間に又は入射光学系と前記第１絞り装置との間に配置されていることが好ましい。
（形態３２）形態１５のマイクロプロジェクション光モジュールにおいて、前記第２絞り装置の少なくとも２つの絞り又は該第２絞り装置の全ての絞りは同じ絞りエッジ又は異なる形に形成された絞りエッジを有することが好ましい。
（形態３３）形態３２のマイクロプロジェクション光モジュールにおいて、前記光学的に作用する絞りエッジの少なくとも１つは切妻状の推移を有し、及び／又は、前記絞りの、垂直方向に関し、少なくとも１つの上側又は下側の光学的に作用する絞りエッジは、光軸から絞りの外側に向かって斜めに立ち上がる推移を有することが好ましい。
（形態３４）形態１９のマイクロプロジェクション光モジュールにおいて、前記ＬＥＤ及び／又はレーザダイオードは互いに対し独立に制御可能であることが好ましい。
（形態３５）形態２１に記載のマイクロプロジェクション光モジュールにおいて、前記丁度１つの光源は、半導体系光源であることが好ましい。
（形態３６）形態３５に記載のマイクロプロジェクション光モジュールにおいて、前記半導体系光源は、丁度１つの発光ダイオード（ＬＥＤ）又は丁度１つのレーザダイオードを含むことが好ましい。
（形態３７）形態２２に記載のマイクロプロジェクション光モジュールにおいて、３つの光源グループが設けられており、第１光源グループは赤色光を、第２光源グループは緑色光を、第３光源グループは青色光を放出することが好ましい。
以下において、本発明は図面に示されている例示的な非限定的実施例を用いて詳細に説明されている。
なお、特許請求の範囲に付記した図面参照符号は専ら発明の理解を助けるためのものであり、本発明を図示の態様に限定することは意図していない。
【手続補正４】
【補正対象書類名】明細書
【補正対象項目名】０１５３
【補正方法】変更
【補正の内容】
【０１５３】
本発明との関連において、光源としてレーザ光源が使用される場合、レーザの照明強度は大きいため、（１つの）白色光分布を生成するために必要なマイクロプロジェクションアレイ（領域）の数を少なくすることができ、そのため、横方向においてより小さい光モジュールを形成することができる。
以下に、本発明の態様を付記する。
（態様１）本発明の一視点により、自動車両用投光装置用のマイクロプロジェクション光モジュールが提供される。該マイクロプロジェクション光モジュールは、
・少なくとも１つの光源、及び、
・該少なくとも１つの光源から出射する光を自動車両の前方の領域に少なくとも１つの光分布の形で結像する少なくとも１つのプロジェクション装置
を含む。
該プロジェクション装置は、
・好ましくは１つのアレイに配置されている１つの、２つの又は３つ以上のマイクロ入射光学系を有する入射光学系、及び、
・好ましくは１つのアレイに配置されている１つの、２つの又は３つ以上のマイクロ出射光学系を有する出射光学系
を含む。
各マイクロ入射光学系には丁度１つのマイクロ出射光学系が割り当てられている。
１つのマイクロ入射光学系から出射する光の実質的に全体がそれに割り当てられたマイクロ出射光学系のみに正確に入射するよう、マイクロ入射光学系は構成されており及び／又はマイクロ入射光学系とマイクロ出射光学系は互いに対し配置されている。
マイクロ入射光学系によって予め成形された光は、マイクロ出射光学系によって、自動車両の前方の領域に、少なくとも１つの光分布として結像される。
前記少なくとも１つの光源には前置光学系装置が割り当てられている。
該少なくとも１つの光源は、それ自身から放出される光を該少なくとも１つの前置光学系装置内に放射する。
該前置光学系装置は、それ自身から出射する光が実質的に平行に配向されるよう、構成されている。
入射光学系は少なくとも１つの平面的境界面を有する。
該少なくとも１つの平面的境界面は該前置光学系装置に指向されている。
（態様２）上記のマイクロプロジェクション光モジュールにおいて、前置光学系装置から出射する光は少なくとも１つの平面的境界面に当射する。
（態様３）上記のマイクロプロジェクション光モジュールにおいて、前置光学系装置から出射する光は、平面的境界面の実質的に全体を照射する。
（態様４）上記のマイクロプロジェクション光モジュールにおいて、前置光学系装置はコリメータとして構成されている。
（態様５）上記のマイクロプロジェクション光モジュールにおいて、前置光学系装置は入射光学系と一体的に構成されている。
（態様６）上記のマイクロプロジェクション光モジュールにおいて、１つのマイクロ入射光学系と当該１つのマイクロ入射光学系に割り当てられた１つのマイクロ出射光学系は１つのマイクロ光学系システムを構成し、該マイクロ光学系システムは、少なくとも１つのマイクロ光学系焦点を有し及び／又は当該マイクロ光学系システムを貫通通過する光を水平方向に拡開する。
（態様７）上記のマイクロプロジェクション光モジュールにおいて、各マイクロ入射光学系は、当該マイクロ入射光学系を貫通通過する光を前記少なくとも１つのマイクロ光学系焦点に合焦する。
（態様８）上記のマイクロプロジェクション光モジュールにおいて、各マイクロ入射光学系のマイクロ光学系焦点は、光出射方向において、当該マイクロ入射光学系に割り当てられたマイクロ出射光学系の前方に位置し、複数のマイクロ入射光学系は、それら自身を貫通通過する光を、垂直方向において、夫々、マイクロ出射光学系の前方に位置するマイクロ光学系焦点に合焦し、複数のマイクロ出射光学系は、各自に割り当てられたマイクロ入射光学系のマイクロ光学系焦点に一致する焦点を有する。
（態様９）上記のマイクロプロジェクション光モジュールにおいて、各マイクロ入射光学系は湾曲境界面を有し、該湾曲境界面は曲率半径最小値を有する。
（態様１０）上記のマイクロプロジェクション光モジュールにおいて、各マイクロ入射光学系は集束光学系として又はフリーフォーム光学系として構成されており、及び／又は、各マイクロ出射光学系は投影光学系として又は非球面レンズとして又はフリーフォームレンズとして構成されている。
（態様１１）上記のマイクロプロジェクション光モジュールにおいて、互いに割り当て関係にあるマイクロ入射光学系とマイクロ出射光学系の前記前置光学系装置に指向された境界面は、互いに対し合同的に、好ましくは平面的に構成されており、好ましくは互いに対し合同的に配置されている。
（態様１２）上記のマイクロプロジェクション光モジュールにおいて、互いに割り当て関係にあるマイクロ入射光学系とマイクロ出射光学系の光軸は、互いに対し平行に延伸し、好ましくは一致している。
（態様１３）上記のマイクロプロジェクション光モジュールにおいて、入射光学系と出射光学系の間には、少なくとも１つの第１絞り装置が配置されており、該第１絞り装置は、好ましくは、複数のマイクロ光学系焦点によって画成される面に配置されており、該第１絞り装置は、例えば少なくとも一対の、好ましくは複数対の、とりわけ全ての対の、互いに関連付けられたマイクロ入射光学系とマイクロ出射光学系のために、夫々少なくとも１つの、例えば丁度１つの光学的に作用する絞りエッジを有する（１つの）絞りを有する。
（態様１４）上記のマイクロプロジェクション光モジュールにおいて、入射光学系と出射光学系の間には、少なくとも１つの第２絞り装置が配置されており、該第２絞り装置は、好ましくは、前記第１絞り装置と出射光学系との間に又は入射光学系と前記第１絞り装置との間に配置されている。
（態様１５）上記のマイクロプロジェクション光モジュールにおいて、前記第２絞り装置は、少なくとも一対の、好ましくは複数対の、とりわけ全ての対の、互いに関連付けられたマイクロ入射光学系とマイクロ出射光学系のために、夫々少なくとも１つの、例えば丁度１つの光学的に作用する絞りエッジを有する（１つの）絞りを有し、好ましくは該第２絞り装置の全ての絞りは同じ絞りエッジを有し、又は、とりわけ該第２絞り装置の少なくとも２つの絞りは異なる形に形成された絞りエッジを有し、好ましくは前記光学的に作用する絞りエッジの少なくとも１つは切妻状の推移（輪郭形状）を有し、及び／又は、例えば前記絞りの、垂直方向に関し、少なくとも１つの上側又は下側の光学的に作用する絞りエッジは、光軸から絞りの外側に向かって斜めに立ち上がる推移（輪郭形状）を有する。
（態様１６）上記のマイクロプロジェクション光モジュールにおいて、前記第１絞り装置と前記第２絞り装置は同一に構成されており、及び／又は、前記第１絞り装置は前記第２絞り装置と一体的に構成されている。
（態様１７）上記のマイクロプロジェクション光モジュールにおいて、出射光学系は少なくとも１つの第２絞り装置と一体的に構成されており、及び／又は、第２絞り装置は入射光学系に指向された出射光学系の境界面に配されている。
（態様１８）上記のマイクロプロジェクション光モジュールにおいて、入射光学系と出射光学系から構成されるプロジェクション装置は、２つの互いに分離された（別体の）部材で形成されており、及び、該出射光学系は該入射光学系に対しシフト可能に（支承）支持されており、
該出射光学系及び／又は第２絞り装置は、マイクロプロジェクション光モジュールの組立状態において、垂直方向及び／又は水平方向に及び／又は入射光学系に対し平行にシフト可能である。
（態様１９）上記のマイクロプロジェクション光モジュールにおいて、前記光源は少なくとも１つの半導体系光源を含み、該半導体系光源は好ましくは１つの、２つの又は３つ以上のＬＥＤ及び／又はレーザダイオードを有し、該ＬＥＤ及び／又はレーザダイオードは好ましくは互いに対し独立に制御可能である。
（態様２０）上記のマイクロプロジェクション光モジュールにおいて、マイクロプロジェクション光モジュールの光源が２つの又は３つ以上の場合、該光源は互いに対し独立に制御可能である。
（態様２１）上記のマイクロプロジェクション光モジュールにおいて、１つのマイクロ入射光学系と１つのマイクロ出射光学系とから構成される各マイクロ光学系システムに、丁度１つの、好ましくは半導体系の、光源が割り当てられており、該光源は好ましくは丁度１つの発光ダイオード（ＬＥＤ）又は丁度１つのレーザダイオードを含む。
（態様２２）上記のマイクロプロジェクション光モジュールにおいて、２つの又は３つ以上の光源グループが設けられており、各光源グループは少なくとも１つの光源を含み、１つの光源グループの複数の光源は同じ色の光を放出し、異なる光源グループの光源は異なる色の光を放出し、各光源グループは、少なくとも１つのプロジェクション装置の当該光源グループに特異的に割り当てられた領域を照明し、当該複数の領域は同一に構成されているか、ないし、同じ光分布を生成するよう構成されており、好ましくは３つの光源グループが設けられており、とりわけ、１つの光源グループは赤色光を、１つの（更なる）光源グループは緑色光を、１つの（他の更なる）光源グループは青色光を放出する。
（態様２３）上記のマイクロプロジェクション光モジュールを１つ、２つ又は３つ以上含む、自動車両用投光装置用の照明装置。
（態様２４）上記の照明装置において、マイクロプロジェクション光モジュールの２つの又は３つ以上のグループが設けられており、各グループは、１つの、２つの又は３つ以上のマイクロプロジェクション光モジュールを含み、１つのグループの複数のマイクロプロジェクション光モジュールは、同じ光分布を生成し、異なるグループのマイクロプロジェクション光モジュールは、異なる光分布を生成し、マイクロプロジェクション光モジュールの各グループの光源は、他のグループの光源とは独立に制御可能である。
（態様２５）上記の照明装置において、１つのグループのマイクロプロジェクション光モジュールの、好ましくは全てのマイクロプロジェクション光モジュールの、プロジェクション装置は、１つの共通の部材を形成している。
（態様２６）上記の照明装置において、異なる光分布を生成するための２つの又は３つ以上のグループが設けられており、各グループは夫々異なる光分布を生成し、該光分布は以下の複数の光分布：
・コーナリング用ライトの光分布；
・市街地用ライトの光分布；
・幹線道路用ライトの光分布；
・アウトバーン用ライトの光分布；
・アウトバーン用ライトのための補助ライトの光分布；
・カーブ用ライトの光分布；
・減光用ライトの光分布；
・減光用ライト−前部領域の光分布；
・遠方領域における非対称的減光用ライトのための光分布；
・カーブ用ライトモードの場合の遠方領域における非対称的減光用ライトのための光分布；
・遠方用ライトの光分布；
・絞りのない遠方用ライトの光分布
の１つとして選択されている。
（態様２７）上記の照明装置において、照明装置は２つの又は３つ以上のマイクロプロジェクション光モジュールを含み、各マイクロプロジェクション光モジュールは少なくとも１つの光源グループを有し、各光源グループは少なくとも１つの光源を含み、１つの光源グループの複数の光源は同じ色の光を放出し、異なる色の光を放出する少なくとも２つの光源グループが設けられており、各光源グループは、そのマイクロプロジェクション光モジュールの少なくとも１つのプロジェクション装置の当該光源グループに特異的に割り当てられた領域を照明し、当該複数の領域は同一に構成されている、ないし、同じ光分布を生成するよう構成されており、好ましくは３つのグループの光源グループが設けられており、とりわけ、複数の光源グループの１つの光源グループは赤色光を、複数の光源グループの１つの（更なる）光源グループは緑色光を、複数の光源グループの１つの（他の更なる）光源グループは青色光を放出し、複数の光源グループの各グループは少なくとも１つの光源グループを含む。
（態様２８）上記の照明装置を１つ又は２つ以上有する、自動車両用投光装置。
【手続補正５】
【補正対象書類名】図面
【補正対象項目名】図４
【補正方法】変更
【補正の内容】
【図４】
2018531495.tif 000033
【国際調査報告】
2018531495.tif 000034
2018531495.tif 000035
2018531495.tif 000036
2018531495.tif 000037
2018531495.tif 000038
2018531495.tif 000039